(57)【特許請求の範囲】
【請求項１】
ゴルフクラブヘッドであって、該ゴルフクラブヘッドは、
クラウン、ソール、および該クラウンと該ソールとの間に接続されるスカートを含むゴルフクラブ本体であって、該ゴルフクラブ本体は、前縁部を含む正面と後縁部を含む背面とを含む、ゴルフクラブ本体と、
該ゴルフクラブ本体の該正面に接続されるフェースであって、該フェースは、座標系の原点を定義する幾何的中心を含み、該フェースは、該フェースが前記ゴルフクラブ本体の部分に接触する境界を有し、該座標系は、該フェースに接し、かつグラウンド平面に概して平行であるｘ軸と、
該ｘ軸に垂直であり、かつ該グラウンド平面に概して平行であるｙ軸と、
該ｘ軸および該ｙ軸の両方に垂直であり、かつ該グラウンド平面に垂直であるｚ軸と、を含む、フェースと、
該ゴルフクラブヘッドの該ソールおよび該ゴルフクラブヘッドの該クラウンのうちの少なくとも１つに位置し、ゴルフボールが前記フェースによりインパクトされたときに前記フェースの剛性を調整して前記ゴルフボールのスピンを変化させる少なくとも１つの改変可能な境界条件特徴（ＢＣＦ）であって、
該改変可能なＢＣＦは、軟化ＢＣＦおよび硬化ＢＣＦのうちの１つであり、少なくとも１つのＢＣＦは、該ＢＣＦに近位の境界条件の硬さを調整するように改変可能である、少なくとも１つの改変可能なＢＣＦと、
を具備し、
前記ゴルフクラブ本体が、該ゴルフクラブ本体において前記ソールの一部として形成され、前記ＢＣＦの近位にかつ該ＢＣＦからみてヒール方向に配置された、ウェイトパッドを含み、前記境界条件は、前記フェースの特定の境界の相対的可撓性であり、前記少なくとも１つの改変可能なＢＣＦは、軟化ＢＣＦであり、該軟化ＢＣＦは、前記ゴルフクラブヘッド内に定義されるアパーチャであり、前記軟化ＢＣＦは、ＢＣＦ挿入物を使用して改変され、前記ＢＣＦ挿入物は、留め具アセンブリであり、前記硬化ＢＣＦは、前記フェースの少なくとも一部を硬化させる、
ゴルフクラブヘッド。
【請求項２】
前記ＢＣＦ挿入物は、複数の留め具アセンブリである、請求項１に記載のゴルフクラブヘッド。
【請求項３】
前記硬化ＢＣＦは、前記ソール又は前記クラウンの２つの部分を相互に接続して前記フェースの少なくとも一部を硬化させる少なくとも１つの連結リブを含む、請求項１に記載のゴルフクラブヘッド。
【請求項４】
前記硬化ＢＣＦは、少なくとも１つの連結リブの取り除きによって改変される、請求項３に記載のゴルフクラブヘッド。
【請求項５】
方法であって、該方法は、
ゴルフクラブヘッドを取得することであって、該ゴルフクラブヘッドは、
クラウン、ソール、および該クラウンと該ソールとの間に接続されるスカートを含むゴルフクラブ本体であって、該ゴルフクラブ本体は、前縁部を含む正面と後縁部を含む背面とを含む、ゴルフクラブ本体と、
該ゴルフクラブ本体の該正面に接続されるフェースであって、該フェースは、座標系の原点を定義する幾何的中心を含み、該フェースは、該フェースが前記ゴルフクラブ本体の部分に接触する境界を有し、該座標系は、
該フェースに接し、かつグラウンド平面に概して平行であるｘ軸と、
該ｘ軸に垂直であり、かつ該グラウンド平面に概して平行であるｙ軸と、
該ｘ軸および該ｙ軸の両方に垂直であり、かつ該グラウンド平面に垂直であるｚ軸と、
を含む、フェースと、
該ゴルフクラブヘッドの該ソールおよび該ゴルフクラブヘッドの該クラウンのうちの少なくとも１つに位置し、ゴルフボールが前記フェースによりインパクトされたときに前記フェースの剛性を調整して前記ゴルフボールのスピンを変化させる少なくとも１つの改変可能な境界条件特徴（ＢＣＦ）であって、
該改変可能なＢＣＦは、軟化ＢＣＦおよび硬化ＢＣＦのうちの１つである、少なくとも１つの改変可能なＢＣＦと、
前記ゴルフクラブ本体において前記ソールの一部として形成され、前記ＢＣＦの近位にかつ該ＢＣＦからみてヒール方向に配置された、ウェイトパッドと、
を含む、ことと、
該ＢＣＦに近位の境界条件の硬さを調整するように該境界条件を改変することと、
を含み、前記境界条件は、前記フェースの特定の境界の相対的可撓性である、方法。
【請求項６】
前記境界条件を改変するステップは、前記ＢＣＦの中に挿入物を設置することを含む、
請求項５に記載の方法。
【請求項７】
前記挿入物を前記ゴルフクラブヘッドに接着するステップをさらに含む、請求項６に記載の方法。
【請求項８】
前記境界条件を改変するステップは、該境界条件を軟化させるために、前記ソール又は前記クラウンの２つの領域を接続する少なくとも１つの機械的な接続具を取り除くことを含む、請求項５に記載の方法。
【請求項９】
前記少なくとも１つの機械的な接続具を取り除くステップは、前記ソール又は前記クラウンの２つの部分を相互に接続する少なくとも１つの連結リブを取り除くことを含む、請求項８に記載の方法。
【請求項１０】
前記少なくとも１つの連結リブを取り除くステップは、少なくとも１つの連結リブを機械加工することを含む、請求項９に記載の方法。
【請求項１１】
前記機械加工が生ずる領域をカバーを用いてカバーすることをさらに含む、請求項１０に記載の方法。
【発明の詳細な説明】
【技術分野】
【０００１】
（関連出願に対する言及）
本出願は、２０１４年８月１２日に出願された米国特許出願第１４／４５７，８８３号の一部継続出願であり、この米国特許出願は、２０１４年７月２２日に出願された米国仮特許出願第６２／０２７，６９２号に対する優先権およびその利益を主張し、これら２つの米国特許出願および米国仮特許出願は、参照により、その全体が本明細書に援用される。本出願は、２０１３年３月１５日に出願された「ＧＯＬＦ  ＣＬＵＢ  ＷＩＴＨ  ＣＯＥＦＦＩＣＩＥＮＴ  ＯＦ  ＲＥＳＴＩＴＵＴＩＯＮ  ＦＥＡＴＵＲＥ」というタイトルの出願番号１３／８３９，７２７を有する米国特許出願に言及し、この米国特許出願は、参照により、重心位置の議論およびクラブパフォーマンスに対する結果的な効果の議論を特に参照して、その全体が本明細書に援用される。本出願は、さらに、２００７年９月２７日に出願された「ＧＯＬＦ  ＣＬＵＢ  ＨＥＡＤ」というタイトルの米国特許第７，７３１，６０３号に言及し、この米国特許出願は、参照により、慣性モーメントの議論を特に参照して、その全体が本明細書に援用される。本出願は、さらに、２００８年１２月３０日に出願された「ＧＯＬＦ  ＣＬＵＢ」というタイトルの米国特許第７，８８７，４３１号に言及し、この米国特許出願は、参照により、その米国特許出願明細書に説明されている調整可能なロフトおよびライ技術の議論を特に参照して、かつ取り除き可能なシャフト技術およびホーゼルスリーブ接続システムを参照して、その全体が本明細書に援用される。本出願は、さらに、２０１２年１２月１８日に出願された「ＨＩＧＨ  ＶＯＬＵＭＥ  ＡＥＲＯＤＹＮＡＭＩＣ  ＧＯＬＦ  ＣＬＵＢ  ＨＥＡＤ」というタイトルの出願番号１３／７１８，１０７を有する米国特許出願に言及し、この米国特許出願は、参照により、空力ゴルフクラブヘッドの議論を特に参照して、その全体が本明細書に援用される。本出願は、さらに、２００７年１２月１９日に出願された「ＣＯＭＰＯＳＩＴＥ  ＡＲＴＩＣＬＥＳ  ＡＮＤ  ＭＥＴＨＯＤＳ  ＦＯＲ  ＭＡＫＩＮＧ  ＴＨＥ  ＳＡＭＥ」というタイトルの米国特許第７，８７４，９３６号に言及し、この米国特許出願は、参照により、複合フェース技術の議論を特に参照して、その全体が本明細書に援用される。本出願は、さらに、２０１３年１２月３０日に出願された「ＧＯＬＦ  ＣＬＵＢ」というタイトルの出願番号１４／１４４，１０５を有する米国特許出願に言及し、この米国特許出願は、参照により、慣性モーメント、重心の設置、およびゴルフクラブヘッドのメカニックに対する重心の設置の効果の議論を特に参照して、その全体が本明細書に援用される。本出願は、さらに、２０１０年７月１０日に出願された「ＧＯＬＦ  ＣＬＵＢ」というタイトルの出願番号１２／８１３，４４２を有する米国特許出願に言及し、この米国特許出願は、参照により、可変フェース厚さの議論を特に参照して、その全体が本明細書に援用される。本出願は、２０１０年７月１日に出願された「ＨＯＬＬＯＷ  ＧＯＬＦ  ＣＬＵＢ  ＨＥＡＤ」というタイトルの出願番号１２／７９１，０２５を有する米国特許出願、および２０１１年１２月２７日に出願された「ＦＡＩＲＷＡＹ  ＷＯＯＤ  ＣＥＮＴＥＲ  ＯＦ  ＧＲＡＶＩＴＹ  ＰＲＯＪＥＣＴ���ＯＮ」というタイトルの出願番号１３／３３８，１９７を有する米国特許出願に言及し、これらの米国特許出願は、参照により、スロット技術および反発係数特徴を特に参照して、その全体が本明細書に援用される。本出願は、さらに、２００２年１１月８日に出願された「ＧＯＬＦ  ＣＬＵＢ  ＨＥＡＤ  ＨＡＶＩＮＧ  Ａ  ＲＥＭＯＶＡＢＬＥ  ＷＥＩＧＨＴ」というタイトルの米国特許第６，７７３，３６０号に言及し、この米国特許出願は、参照により、取り除き可能なウェイトの議論を特に参照して、その全体が本明細書に援用される。本出願は、さらに、２００４年２月２３日に出願された「ＲＥＭＯＶＡＢＬＥ  ＷＥＩＧＨＴ  ＡＮＤ  ＫＩＴ  ＦＯＲ  ＧＯＬＦ  ＣＬＵＢ  ＨＥＡＤ」というタイトルの米国特許第７，１６６，０４０号に言及し、この米国特許出願は、「ＧＯＬＦ  ＣＬＵＢ  ＨＥＡＤ  ＨＡＶＩＮＧ  Ａ  ＲＥＭＯＶＡＢＬＥ  ＷＥＩＧＨＴ」というタイトルの米国特許第６，７７３，３６０号の一部継続出願であり、参照により、取り除き可能なウェイトの技術を特に参照して、その全体が本明細書に援用される。本出願は、さらに、２０１３年３月１５日に出願された「ＧＯＬＦ  ＣＬＵＢ  ＨＥＡＤ」というタイトルの出願番号１３／８４１，３２５を有する米国特許出願、２０１３年７月１９日に出願された「ＧＯＬＦ  ＣＬＵＢ  ＨＥＡＤ」というタイトルの出願番号１３／９４６，９１８を有する米国特許出願、および２００６年１２月１９日に出願された「ＧＯＬＦ  ＣＬＵＢ  ＨＥＡＤ  ＷＩＴＨ  ＲＥＰＯＳＩＴＩＯＮＡＢＬＥ  ＷＥＩＧＨＴ」というタイトルの米国特許第７，７７５，９０５号に言及し、これらの米国特許出願は、参照により、スライディング留め具を特に参照して、その全体が本明細書に援用される。
【０００２】
（技術分野）
本開示は、ゴルフクラブヘッドに関係する。さらに具体的に、本開示は、プレイアビリティを向上させるための特徴を有するゴルフクラブヘッドに関係し、その特徴は、重心の位置変更および境界条件特徴のうちの少なくとも１つを含む。
【発明の概要】
【課題を解決するための手段】
【０００３】
本発明は、例えば、以下を提供する。
（項目１）
ゴルフクラブヘッドであって、該ゴルフクラブヘッドは、
クラウン、ソール、および該クラウンと該ソールとの間に接続されるスカートを含むゴルフクラブ本体であって、該ゴルフクラブ本体は、前縁部を含む正面と後縁部を含む背面とを含む、ゴルフクラブ本体と、
該ゴルフクラブ本体の該正面に接続されるフェースであって、該フェースは、座標系の原点を定義する幾何的中心を含み、該座標系は、
該フェースに接し、かつグラウンド平面に概して平行であるｘ軸と、
該ｘ軸に垂直であり、かつ該グラウンド平面に概して平行であるｙ軸と、
該ｘ軸および該ｙ軸の両方に垂直であり、かつ該グラウンド平面に垂直であるｚ軸と
を含む、フェースと、
該ゴルフクラブヘッドの該ソールおよび該ゴルフクラブヘッドの該クラウンのうちの少なくとも１つに位置する少なくとも１つの改変可能な境界条件特徴（ＢＣＦ）であって、該改変可能なＢＣＦは、軟化ＢＣＦおよび硬化ＢＣＦのうちの１つであり、少なくとも１つのＢＣＦは、該ＢＣＦに近位の境界条件の硬さを調整するように改変可能である、少なくとも１つの改変可能なＢＣＦと
を備える、ゴルフクラブヘッド。
（項目２）
前記少なくとも１つの改変可能なＢＣＦは、軟化ＢＣＦであり、該軟化ＢＣＦは、前記ゴルフクラブヘッド内に定義されるアパーチャである、上記項目に記載のゴルフクラブヘッド。
（項目３）
前記軟化ＢＣＦは、ＢＣＦ挿入物を使用して改変される、上記項目のいずれかに記載のゴルフクラブヘッド。
（項目４）
前記ＢＣＦ挿入物は、ばねである、上記項目のいずれかに記載のゴルフクラブヘッド。
（項目５）
前記ばねは、重ね板ばねであり、該重ね板ばねは、厚さおよび少なくとも２つの端部を含み、該重ね板ばねの少なくとも１つの端部は、前記ゴルフクラブヘッドに接続される、上記項目のいずれかに記載のゴルフクラブヘッド。
（項目６）
前記ばねは、接着によって前記ゴルフクラブヘッドに接続される、上記項目のいずれかに記載のゴルフクラブヘッド。
（項目７）
前記ＢＣＦ挿入物は、充填材料である、上記項目のいずれかに記載のゴルフクラブヘッド。
（項目８）
前記ＢＣＦ挿入物は、留め具アセンブリである、上記項目のいずれかに記載のゴルフクラブヘッド。
（項目９）
前記ＢＣＦ挿入物は、複数の留め具アセンブリである、上記項目のいずれかに記載のゴルフクラブヘッド。
（項目１０）
前記ＢＣＦ挿入物は、プラグである、上記項目のいずれかに記載のゴルフクラブヘッド。
（項目１１）
前記少なくとも１つの改変可能なＢＣＦは、硬化ＢＣＦである、上記項目のいずれかに記載のゴルフクラブヘッド。
（項目１２）
前記硬化ＢＣＦは、少なくとも１つの連結リブを含む、上記項目のいずれかに記載のゴルフクラブヘッド。
（項目１３）
前記硬化ＢＣＦは、少なくとも１つの連結リブの取り除きによって改変される、上記項目のいずれかに記載のゴルフクラブヘッド。
（項目１４）
方法であって、該方法は、
ゴルフクラブヘッドを取得することであって、該ゴルフクラブヘッドは、
クラウン、ソール、および該クラウンと該ソールとの間に接続されるスカートを含むゴルフクラブ本体であって、該ゴルフクラブ本体は、前縁部を含む正面と後縁部を含む背面とを含む、ゴルフクラブ本体と、
該ゴルフクラブ本体の該正面に接続されるフェースであって、該フェースは、座標系の原点を定義する幾何的中心を含み、該座標系は、
該フェースに接し、かつグラウンド平面に概して平行であるｘ軸と、
該ｘ軸に垂直であり、かつ該グラウンド平面に概して平行であるｙ軸と、
該ｘ軸および該ｙ軸の両方に垂直であり、かつ該グラウンド平面に垂直であるｚ軸と
を含む、フェースと、
該ゴルフクラブヘッドの該ソールおよび該ゴルフクラブヘッドの該クラウンのうちの少なくとも１つに位置する少なくとも１つの改変可能な境界条件特徴（ＢＣＦ）であって、該改変可能なＢＣＦは、軟化ＢＣＦおよび硬化ＢＣＦのうちの１つである、少なくとも１つの改変可能なＢＣＦと
を含む、ことと、
該ＢＣＦに近位の境界条件の硬さを調整するように該境界条件を改変することと
を含む、方法。
（項目１５）
前記境界条件を改変するステップは、前記ＢＣＦの中に挿入物を設置することを含む、上記項目のいずれかに記載の方法。
（項目１６）
前記挿入物を前記ゴルフクラブヘッドに接着するステップをさらに含む、上記項目のいずれかに記載の方法。
（項目１７）
前記境界条件を改変するステップは、該境界条件を軟化させるために少なくとも１つの機械的な接続具を取り除くことを含む、上記項目のいずれかに記載の方法。
（項目１８）
前記少なくとも１つの機械的な接続具を取り除くステップは、少なくとも１つの連結リブを取り除くことを含む、上記項目のいずれかに記載の方法。
（項目１９）
前記少なくとも１つの連結リブを取り除くステップは、少なくとも１つの連結リブを機械加工することを含む、上記項目のいずれかに記載の方法。
（項目２０）
カバーで機械加工物をカバーすることをさらに含む、上記項目のいずれかに記載の方法。
【０００４】
（要旨）
ゴルフクラブヘッドは、ゴルフクラブ本体と、フェースとを含み、ゴルフクラブ本体は、クラウン、ソール、およびクラウンとソールとの間に接続されるスカートを含み、ゴルフクラブ本体は、前縁部を含む正面および後縁部を含む背面、ならびにゴルフクラブ本体に接続されるホーゼルを含み、フェースは、ゴルフクラブ本体の正面に接続され、フェースは、幾何的中心を含み、ゴルフクラブヘッドは、改変可能な境界条件を含む。
【図面の簡単な説明】
【０００５】
本開示の一般的な原則を強調するように、以下の図の特徴および構成要素が示されている。図全体にわたって対応する特徴および構成要素は、一貫性および明快さのために参照文字を合わせることによって指定され得る。
【図１Ａ】図１Ａは、本開示の１つの実施形態によるゴルフクラブヘッドのトー側の図である。
【図１Ｂ】図１Ｂは、図１Ａのゴルフクラブヘッドのフェース側の図である。
【図１Ｃ】図１Ｃは、図１Ａのゴルフクラブヘッドの斜視図である。
【図１Ｄ】図１Ｄは、図１Ａのゴルフクラブヘッドの上面図である。
【図２】図２は、図１Ｄの線２―２によって示される平面内にとられるゴルフクラブヘッドの断面図である。
【図３】図３は、図２の細部３の詳細図である。
【図４】図４は、図１Ａのゴルフクラブヘッドの底面図である。
【図５】図５は、本開示の１つの実施形態によるゴルフクラブヘッドの底面斜視図である。
【図６Ａ】図６Ａは、図５のゴルフクラブヘッドのヒール側の図である。
【図６Ｂ】図６Ｂは、図５のゴルフクラブヘッドのフェース側の図である。
【図７】図７は、図６Ｂの線７―７によって示される平面内にとられるゴルフクラブヘッドの断面図である。
【図８】図８は、図７内の細部８のクローズアップ図である。
【図９】図９は、図６Ａの線９―９によって示される平面内にとられるゴルフクラブヘッドの断面図である。
【図１０】図１０は、本開示の１つの実施形態によるゴルフクラブヘッドの底面斜視図である。
【図１１Ａ】図１１Ａは、図１０のゴルフクラブヘッドのヒール側の図である。
【図１１Ｂ】図１１Ｂは、図１０のゴルフクラブヘッドのフェース側の図である。
【図１１Ｃ】図１１Ｃは、図１０のゴルフクラブヘッドの上面図である。
【図１２】図１２は、図１１Ａの線１２―１２によって示される平面内にとられるゴルフクラブヘッドの断面図である。
【図１３】図１３は、図１１Ｃの線１３―１３によって示される平面内にとられるゴルフクラブヘッドの断面図である。
【図１４】図１４は、図１１Ａの線１４―１４によって示される平面内にとられるゴルフクラブヘッドの断面図である。
【図１５】図１５は、本開示の１つの実施形態によるゴルフクラブヘッドの底面斜視図である。
【図１６】図１６は、図１５の線１６―１６によって示される平面内にとられるゴルフクラブヘッドの断面図である。
【図１７】図１７は、本開示の１つの実施形態によるゴルフクラブヘッドの底面斜視図である。
【図１８】図１８は、図１７の線１８―１８によって示される平面内にとられるゴルフクラブヘッドの詳細な断面図である。
【図１９】図１９は、図１７のゴルフクラブヘッドのヒール側の図である。
【図２０Ａ】図２０Ａは、参照クラブに関係するＣＯＲ値を図示するプロットである。
【図２０Ｂ】図２０Ｂは、本開示の１つの実施形態によるゴルフクラブヘッドに関係するＣＯＲ値を図示するプロットである。
【図２０Ｃ】図２０Ｃは、本開示の１つの実施形態によるゴルフクラブヘッドに関係するＣＯＲ値を図示するプロットである。
【図２１】図２１は、ロフトスリーブを含む本開示の１つの実施形態によるゴルフクラブヘッドである。
【図２２Ａ】図２２Ａは、本開示の１つの実施形態によるプラグの上側図である。
【図２２Ｂ】図２２Ｂは、図２２Ａのプラグの前側図である。
【図２２Ｃ】図２２Ｃは、図２２Ａのプラグの左側図である。
【図２２Ｄ】図２２Ｄは、図２２Ａのプラグの斜視図である。
【図２３Ａ】図２３Ａは、本開示の１つの実施形態によるゴルフクラブヘッドの斜視図である。
【図２３Ｂ】図２３Ｂは、図２３Ａのゴルフクラブヘッドの底面図である。
【図２４】図２４は、本開示の１つの実施形態によるＢＣＦ挿入物を含む図２３Ａのゴルフクラブヘッドの底面図である。
【図２５】図２５は、図２４内の線２５―２５によって示される平面内に見られる図２４のゴルフクラブヘッドアセンブリの断面図である。
【図２６】図２６は、本開示の１つの実施形態によるＢＣＦ挿入物を含む図２３Ａのゴルフクラブヘッドの断面図である。
【図２７】図２７は、本開示の１つの実施形態によるゴルフクラブヘッドの上面図である。
【図２８】図２８は、図２７のゴルフクラブヘッドの底面図である。
【図２９】図２９は、図２７内の線２９―２９によって示される平面内にとられる図２７のゴルフクラブヘッドの断面図である。
【図３０】図３０は、ＢＣＦに対する改変を有する図２７のゴルフクラブヘッドの断面図である。
【発明を実施するための形態】
【０００６】
（詳細な説明）
ゴルフクラブヘッドを含むゴルフクラブ、関連する方法、システム、デバイス、ならびに様々な装置が開示される。開示されるゴルフクラブが、多くある中でほんのわずかな例示的な実施形態において説明されていることが当業者によって理解される。どの特定の用語、説明も、開示、そこから発する任意の請求の範囲を限定するものとして考慮されるべきではない。簡単のために、基本単位の省略が使用され得、基本単位の省略は、他もある中で、ミリメートルについての「ｍｍ」、インチについての「ｉｎ．」、重量ポンドについての「ｌｂ．」、マイル／時間についての「ｍｐｈ」、および毎秒回転数についての「ｒｐｓ」を含むがこれらに限定されない。
【０００７】
後述の開示の一部は、２０１３年３月１５日に出願された「ＧＯＬＦ  ＣＬＵＢ  ＷＩＴＨ  ＣＯＥＦＦＩＣＩＥＮＴ  ＯＦ  ＲＥＳＴＩＴＵＴＩＯＮ  ＦＥＡＴＵＲＥ」というタイトルの出願番号１３／８３９，７２７を有する米国特許出願と一致し、この米国特許出願は、参照により、その全体が本明細書に援用される。その米国特許出願の開示の一部は、効率性の関心において本開示から省略されたが、当業者は、参照出願に開示されている特徴および設計が、本開示の技術の説明に適用することを理解し、出願番号１３／８３９，７２７を有する米国特許出願の十分な援用は、本開示の範囲の完全な理解に対して有益である。加えて、請求される主題は、出願番号１３／８３９，７２７を有する米国特許出願の援用によってより十分詳細に供給される特徴または説明を含み得、参照出願内の内容をカバーする請求は、そのような出願の開示に関係する。
【０００８】
ゴルフの試合において、プレーヤーが所与のクラブで自身の距離を増大させるとき、結果は、ほとんどいつもプレーヤーに利点を提供する。ゴルフクラブ設計が、可能な限り遠くにゴルフボールを打つプレーヤーの能力を最大化することを目指す一方で、全米ゴルフ協会―ゴルフの試合の規制制定団体―は、ゴルフの試合を管理するためのルールのセットを提供してきた。これらのルールは、Ｔｈｅ  Ｒｕｌｅｓ  ｏｆ  Ｇｏｌｆとして公知であり、様々なＤｅｃｉｓｉｏｎｓ  ｏｎ  Ｔｈｅ  Ｒｕｌｅｓ  ｏｆ  Ｇｏｌｆが付随する。Ｔｈｅ  Ｒｕｌｅｓ  ｏｆ  Ｇｏｌｆ内に公表されている多くのルールは、プレーに影響を及ぼす。クラブがプレーについて適法であるときまたは適法でないときを示すように立案されたルールを含むＴｈｅ  Ｒｕｌｅｓ  ｏｆ  Ｇｏｌｆのうちのいくつかは、用具に影響を及ぼす。様々なルールの中に、ゴルフクラブヘッドのサイズ、ウェイト、寸法、および様々な他の特徴についての最大および最小限界がある。例えば、体積が４６０立方センチメートルより大きくあり得るゴルフクラブヘッドは存在しない。０．８３０より大きい反発係数（ＣＯＲ）を有し得るゴルフクラブフェースは存在せず、ＣＯＲは、ゴルフボールとのゴルフクラブヘッドのインパクトの効率を説明する。
【０００９】
ＣＯＲは、衝突効率の尺度である。ＣＯＲは、アプローチの速度に対する分離の速度の比である。それゆえ、このモデルにおいて、以下の式を使用してＣＯＲが決定される。
【００１０】
【数１】
0006778995.tif 000002
【００１１】
ここでは、
ｖｃｌｕｂ−ｐｏｓｔは、インパクト後のクラブの速度を表し、
ｖｂａｌｌ−ｐｏｓｔは、インパクト後のボールの速度を表し、
ｖｃｌｕｂ−ｐｒｅは、インパクト前のクラブの速度を表し（ＵＳＧＡのＣＯＲ条件について０の値）、
ｖｂａｌｌ−ｐｒｅは、インパクト前のボールの速度を表す。
【００１２】
ＵＳＧＡは、最大ＣＯＲの限界を明示するが、ＣＯＲが最大化され得る明示された範囲は存在しない。複数のゴルフクラブヘッドが最大０．８３０ＣＯＲに達した一方で、そのようなＣＯＲが見出され得る領域―典型的には、ゴルフクラブヘッドのフェースの幾何的中心における領域またはそれの比較的小さく近位である最大ＣＯＲの領域は、概して限定されている。多くのゴルフクラブヘッドは、適切に打撃したときにＴｈｅ  Ｒｕｌｅｓ  ｏｆ  Ｇｏｌｆの範囲内で可能な限り遠くへゴルフボールを打ち出すように設計される。しかしながら、最も偉大なプロゴルファーでさえ、全てのショットをどれも完璧に打撃するとは限らない。大多数のゴルファーにとって、完璧に打撃したゴルフショットは、稀とまではいかないが、例外である。
【００１３】
特定のゴルファーがきれいにショットを打撃することが不可能であることに対処する様々な方法が存在する。１つの方法は、増大した慣性モーメント（ＭＯＩ）の使用を含む。ＭＯＩを増大させることは、中心を外れた打撃のときに捩じれるゴルフクラブヘッドの能力を減少させることによって、フェースの中心をインパクトしない打撃についてのエネルギーの喪失を妨げる。特に、非常に高ＭＯＩ設計は、ゴルフクラブヘッドの周辺部にウェイトを移動させることに焦点を当てており、この移動は、ゴルフクラブヘッド内の後方に後縁部に向かってゴルフクラブヘッドの重心を移動させることを含む場合がある。
【００１４】
別の方法は、可変フェース厚さ（ＶＦＴ）技術の使用を含む。ＶＦＴにより、ゴルフクラブヘッドのフェースは、その全体にわたって一定の厚さではなく、むしろ変化する。例えば、２０１０年６月１０日に出願された「ＧＯＬＦ  ＣＬＵＢ」というタイトルの出願番号１２／８１３，４４２を有する米国特許出願―参照により、その全体が本明細書に援用される―に説明されているように、フェースの厚さは、フェースの中心から測定されたときの寸法での配置において変化する。これにより、参照文献に説明されているように最大ＣＯＲの領域が増大することが可能になる。
【００１５】
ＶＦＴが優れた技術である一方で、あるゴルフクラブ設計内に実装することが難しい可能性がある。例えば、フェアウェイウッドの設計において、フェースの高さが小さすぎて有意義なＶＦＴ設計を実装することが不可能である場合がある。さらに、ＶＦＴが解決することが不可能である問題が存在する。例えば、ゴルフクラブフェースの縁部は、ゴルフクラブヘッドのソール、クラウン、またはスカートへの接続特徴を含むので、その縁部は、ゴルフクラブフェースの中心より剛性である傾向がある。典型的なゴルフクラブフェースの縁部は、（溶接された構成を通してかまたは単一部品としてのどちらかで）一体化されるので、フェースの縁部に近い打撃は、結果的に、打撃が剛性縁部に近位であるので必ず貧弱なＣＯＲとなる。ゴルファーにとって、フェースの中心以外のゴルフクラブヘッド上の位置でゴルフボールを打撃することは一般的である。典型的な位置は、多くのゴルファーにとって、フェース上の高部またはフェース上の低部であり得る。両方の状況は、結果的に、ＣＯＲを減少させる。しかしながら、特にフェース低部打撃について、ＣＯＲが急速に低下する。様々な実施形態において、中心フェースの５ｍｍ下の打撃についてのＣＯＲは、０．０２０〜０．０３５差であり得る。さらに、中心を外した打撃は、結果的に、より大きいＣＯＲ差となり得る。
【００１６】
中心を外した打撃の負の効果と戦うために、ある設計が実装された。例えば、２０１０年６月１日に出願された「ＨＯＬＬＯＷ  ＧＯＬＦ  ＣＬＵＢ  ＨＥＡＤ」というタイトルの出願番号１２／７９１，０２５を有する米国特許出願、および２０１１年１２月２７日に出願された「ＦＡＩＲＷＡＹ  ＷＯＯＤ  ＣＥＮＴＥＲ  ＯＦ  ＧＲＡＶＩＴＹ  ＰＲＯＪＥＣＴＩＯＮ」というタイトルの出願番号１３／３３８，１９７を有する米国特許出願―これらの米国特許出願の両方は、参照により、その全体が本明細書に援用される―に説明されているように、ゴルフクラブヘッドの様々な位置に位置する反発係数特徴は、利点を提供する。特に、ゴルフクラブヘッドのフェース低部上の打撃について、反発係数特徴は、ゴルフクラブヘッドのフェース低部上の領域から他の態様で典型的に見られるより大きな可撓性を可能にする。概して、ゴルフクラブヘッドのフェース上の低点は、可撓ではなく、完全に剛性ではないが、フェースの幾何的中心において見られ得るＣＯＲを経験しない。
【００１７】
反発係数特徴は、より大きい可撓性を可能にするが、その反発係数特徴は、実装することが厄介である場合がある可能性がある。例えば、上の設計において、反発係数特徴は、ゴルフクラブヘッドの本体内であるがフェースの近位に設置される。密な近接は、反発係数特徴の有効性を向上させる一方で、密な近接は、設計の観点から課題を生成する。反発係数特徴を製造することがいくつかの実施形態において難しくあり得る。特に、２０１１年１２月２７日に出願された「ＦＡＩＲＷＡＹ  ＷＯＯＤ  ＣＥＮＴＥＲ  ＯＦ  ＧＲＡＶＩＴＹ  ＰＲＯＪＥＣＴＩＯＮ」というタイトルの出願番号１３／３３８，１９７を有する米国特許出願に対して、反発係数特徴は、インパクト条件下で非常に高い応力を経験する反発係数特徴の鉛直延在部において鋭い角部を含む。使用のときのそのような特徴の構造的一体性を妥協することなくそのような特徴を製造することは難しくなり得る。さらに、反発係数特徴は、ゴルフクラブ本体の中へ必ず延在し、それによって、ゴルフクラブヘッド内の空間を占める。反発係数特徴の領域において質量を位置づけることが望ましいときに特に、反発係数特徴のサイズおよび位置により、様々な設計において質量位置変更が困難であり得る。
【００１８】
特に、本反発係数特徴設計に対する１つの課題は、フェースの近位にゴルフクラブヘッドの重心（ＣＧ）を位置づける能力である。２０１３年３月１５日に出願された「ＧＯＬＦ  ＣＬＵＢ  ＷＩＴＨ  ＣＯＥＦＦＩＣＩＥＮＴ  ＯＦ  ＲＥＳＴＩＴＵＴＩＯＮ  ＦＥＡＴＵＲＥ」というタイトルの出願番号１３／８３９，７２７を有する米国特許出願、および２０１３年１２月３０日に出願された「ＧＯＬＦ  ＣＬＵＢ」というタイトルの出願番号１４／１４４，１０５を有する米国特許出願に説明されているように、ゴルフクラブヘッド内の低部にＣＧを位置づけることが望ましいことが発見された。ＣＧのそのような位置は、ゴルフクラブヘッドのフェース上へのＣＧの低い突出を提供し、これにより結果的に、スピンを減少させることとなり、より大きい距離につながる。ある一定のタイプのヘッドにおいて、ゴルフクラブヘッド内のＣＧの位置に関わらず可能な限り低くゴルフクラブヘッドのＣＧを位置づけることが依然として最も所望の設計であり得る。しかしながら、引用された参照内に説明されているものを理由として、低くかつ前方のＣＧ位置が、低くかつ前方のＣＧなしの先の設計または比較可能な設計には見られないいくつかの利益を提供し得ることが予想外に決定された。
【００１９】
参照のために、本開示の範囲内で、「フェアウェイウッドタイプのゴルフクラブヘッド」の参照は、ティーとともにまたはティーなしで使用されることが意図される任意のウッドタイプのゴルフクラブヘッドを意味する。参照のために、「ドライバータイプのゴルフクラブヘッド」は、主にティーとともに使用されることが意図される任意のウッドタイプのゴルフクラブヘッドを意味する。概して、フェアウェイウッドタイプのゴルフクラブヘッドは、１４度より大きいロフトを有する場合がある。概して、ドライバータイプのゴルフクラブヘッドは、１４度またはそれより小さいロフトを有し、さらにたいていの場合、１２度またはそれより小さいロフトを有する。概して、フェアウェイウッドタイプのゴルフクラブヘッドは、前縁部から後縁部まで７３〜９７ｍｍの長さを有する。様々な定義により、フェアウェイウッドタイプのゴルフクラブヘッドをハイブリッドタイプのゴルフクラブヘッドと区別し、ハイブリッドタイプのゴルフクラブヘッドは、前縁部から後縁部までのより小さい長さを有することを除いてフェアウェイウッドタイプのゴルフクラブヘッドに似ている傾向がある。概して、ハイブリッドタイプのゴルフクラブヘッドは、前縁部から後縁部までの長さにおいて３８〜７３ｍｍである。ハイブリッドタイプのゴルフクラブヘッドは、さらに、ウェイト、ライ角、体積および／またはシャフト長さによってフェアウェイウッドタイプのゴルフクラブヘッドと区別され得る。本開示のフェアウェイウッドタイプのゴルフクラブヘッドは、好ましくは、１６度のロフトである。様々な実施形態において、本開示のフェアウェイウッドタイプのゴルフクラブヘッドは、１５〜１９．５度であり得る。様々な実施形態において、本開示のフェアウェイウッドタイプのゴルフクラブヘッドは、１３〜１７度であり得る。様々な実施形態において、本開示のフェアウェイウッドタイプのゴルフクラブヘッドは、１３〜１９．５度であり得る。様々な実施形態において、本開示のフェアウェイウッドタイプのゴルフクラブヘッドは、１３〜２６度であり得る。加えて、たいていのフェアウェイウッドタイプのゴルフクラブヘッドは、ＵＳＧＡの方法により測定されたときに体積が１５０ｃｃと２５０ｃｃとの間である。ウッドタイプのゴルフクラブヘッドの体積を測定する方法論について、ＵＳＧＡ「Ｐｒｏｃｅｄｕｒｅ  ｆｏｒ  Ｍｅａｓｕｒｉｎｇ  ｔｈｅ  Ｃｌｕｂ  Ｈｅａｄ  Ｓｉｚｅ  ｏｆ  Ｗｏｏｄ  Ｃｌｕｂｓ」Ｒｅｖｉｓｉｏｎ１．０．０（２００３年１１月２１日）を参照のこと。本開示の例示的なフェアウェイウッドタイプのゴルフクラブヘッドは、１８０ｃｃと２４０ｃｃとの間であり得る。様々な実施形態において、本開示のフェアウェイウッドタイプのゴルフクラブヘッドは、２００ｃｃと２２０ｃｃとの間である。本開示のドライバータイプのゴルフクラブヘッドは、好ましくは、様々な実施形態において１２度またはそれより小さいロフトである。本開示のドライバータイプのゴルフクラブヘッドは、様々な実施形態において１０．５度またはそれより小さくあり得る。本開示のドライバータイプのゴルフクラブヘッドは、様々な実施形態において９度と１４度との間のロフトであり得る。様々な実施形態において、ドライバータイプのゴルフクラブヘッドは、１６度のロフトであり得る。加えて、たいていのドライバータイプのゴルフクラブヘッドは、体積が３７５ｃｃを超える。本開示の例示的なドライバータイプのゴルフクラブヘッドは、体積が４２５ｃｃを超え得る。いくつかの実施形態において、本開示のドライバータイプのゴルフクラブヘッドは、体積が４４０ｃｃと４６０ｃｃとの間である。
【００２０】
ゴルフクラブヘッド１００の１つの実施形態が、図１Ａ〜１Ｄを参照して開示および説明されている。図１Ａに見られるように、ゴルフクラブヘッド１００は、フェース１１０、クラウン１２０、ソール１３０、スカート１４０およびホーゼル１５０を含む。フェース１１０を含まないゴルフクラブヘッド１００の主要部分は、本開示の目的でゴルフクラブ本体と考慮される。反発係数特徴（ＣＯＲＦ）３００は、ゴルフクラブヘッド１００のソール１３０内に見られる。様々な実施形態において、ゴルフクラブヘッド１００の特徴は、ＣＯＲＦ３００を含み得るか、またはＣＯＲＦ３００なしに見出され得る。様々な実施形態において、ＣＯＲＦ３００への改変が含まれ得、その改変が、本開示の範囲内に含まれることを意図されることが当業者によって理解される。
【００２１】
３次元基準座標系２００が示されている。座標系２００の原点２０５は、ゴルフクラブヘッド１００のフェースの幾何学的中心（ＣＦ）に位置する。ゴルフクラブの打撃面の幾何学的中心を測定する方法論については、Ｕ．Ｓ．Ｇ．Ａ．「Ｐｒｏｃｅｄｕｒｅ  ｆｏｒ  Ｍｅａｓｕｒｉｎｇ  ｔｈｅ  Ｆｌｅｘｉｂｉｌｉｔｙ  ｏｆ  ａ  Ｇｏｌｆ  Ｃｌｕｂｈｅａｄ」Ｒｅｖｉｓｉｏｎ２．０（２００５年３月２５日）を参照のこと。座標系２００は、ｚ軸２０６、ｙ軸２０７およびｘ軸２０８（図１Ｂに図示）を含む。軸２０６、２０７、２０８の各々は、他の軸２０６、２０７、２０８の各々に直交する。ゴルフクラブヘッド１００は、前縁部１７０および後縁部１８０を含む。本開示の目的で、前縁部１７０は、カーブによって定義され、カーブは、一連の最前点によって定義され、各最前点は、ｙ軸２０７およびｚ軸２０６によって形成される平面に平行にとられる任意の断面についてｙ軸２０７に平行に測定されたときに最も前にあるゴルフクラブヘッド１００上の点として定義される。フェース１１０は、様々な実施形態においてグルーブまたはスコアラインを含み得る。様々な実施形態において、前縁部１７０は、さらに、ゴルフクラブヘッドの特定の部分の湾曲がロールおよびバルジ（ｂｕｌｇｅ）半径から実質的に逸する縁部であり得る。
【００２２】
図１Ｂを参照して見られるように、ｘ軸２０８は、グラウンド面（ＧＰ）に平行であり、ゴルフクラブヘッド１００は、グラウンド面上に適切に底付けされ得る―ソール１３０がＧＰと接触するように配置され得る。ｙ軸２０７もＧＰに平行であり、ｘ軸２０８に直交する。ｚ軸２０６は、ｘ軸２０８、ｙ軸２０７およびＧＰに直交する。ゴルフクラブヘッド１００は、トー１８５およびヒール１９０を含む。ゴルフクラブヘッド１００は、ホーゼル１５０の軸に沿って定義されるシャフト軸（ＳＡ）を含む。ゴルフクラブとして組み立てられたとき、ゴルフクラブヘッド１００は、ゴルフクラブシャフト（図示されていない）に接続される。典型的に、ゴルフクラブシャフトは、ホーゼル１５０内で定義されるシャフトボア２４５の中へ挿入される。したがって、ゴルフクラブヘッド１００に対するＳＡの配置は、ゴルフクラブヘッド１００がどのように使用されるかを定義することが可能である。ＳＡは、ＧＰに対して角度１９８で位置合わせされている。角度１９８は、ゴルフクラブヘッド１００のライ角（ＬＡ）として当該技術分野において公知である。ＳＡとＧＰとのグラウンド面交点（ＧＰＩＰ）が参照用に図示されている。様々な実施形態において、ＧＰＩＰは、基準点として使用され得、その基準点からゴルフクラブヘッド１００の特徴が測定または参照され得る。図１Ａを参照して図示されているように、本実施形態において、ＳＡは、ＳＡが原点とも軸２０６、２０７、２０８のいずれかとも直接交差しないように原点２０５から離れて位置する。様々な実施形態において、ＳＡは、少なくとも１つの軸２０６、２０７、２０８および／または原点２０５と交差するように配置され得る。ｚ軸グラウンド面交点２１２は、ｚ軸がＧＰと交差する点として見てとることが可能である。
【００２３】
図１Ｃを参照して見られるように、反発係数特徴３００（ＣＯＲＦ）は、ゴルフクラブヘッド１００のソール１３０内に定義されて図示されている。モジュール式ウェイトポート２４０は、取り外し可能なウェイトの設置のためにソール１３０内に定義されて図示されている。取り外し可能なウェイトの様々な実施形態およびシステムならびにそれらに関連する方法および装置は、２００２年１１月８日に出願された「ＧＯＬＦ  ＣＬＵＢ  ＨＥＡＤ  ＨＡＶＩＮＧ  Ａ  ＲＥＭＯＶＡＢＬＥ  ＷＥＩＧＨＴ」というタイトルの米国特許第６，７７３，３６０号および２００４年２月２３日に出願された「ＲＥＭＯＶＡＢＬＥ  ＷＥＩＧＨＴ  ＡＮＤ  ＫＩＴ  ＦＯＲ  ＧＯＬＦ  ＣＬＵＢ  ＨＥＡＤ」というタイトルの米国特許第７，１６６，０４０号を参照してより詳細に説明されており、参照により、これらの全体が本明細書に援用される。図１Ｄに見られる上面図は、ゴルフクラブヘッド１００の別のビューを図示している。シャフトボア２４５は、ホーゼル１５０内に定義されて見てとることが可能である。図２についての切断平面または断面も、図１Ｄ内に見てとることが可能である。図２についての切断平面は、ｙ軸２０７と一致する。
【００２４】
再度図１Ａを参照すると、クラウン高さ１６２が図示されており、クラウン高さ１６２は、ｚ軸２０６に平行に測定されたときのＧＰからクラウン１２０の最高点までの高さとして測定される。本実施形態において、クラウン高さ１６２は、約３６ｍｍである。様々な実施形態において、クラウン高さ１６２は、３４〜４０ｍｍであり得る。様々な実施形態において、クラウン高さは、３２〜４４ｍｍであり得る。様々な実施形態において、クラウン高さは、３０〜５０ｍｍであり得る。ゴルフクラブヘッド１００は、さらに、ｚ軸２０６に平行に測定されたときのフェース１１０の高さである有効フェース高さ１６３を有する。有効フェース高さ１６３は、フェース１１０上の最高点から前縁部１７０の近位のフェース１１０上の最低点までを測定している。クラウン１２０とフェース１１０との間に移行部が存在しており、フェース１１０上の最高点が一実施形態と別の実施形態とで少し異なり得る。本実施形態において、フェース１１０上の最高点およびフェース１１０上の最低点は、フェース１１０の湾曲がロール半径から実質的に逸脱する点である。いくつかの実施形態において、そのような点を特徴づける逸脱は、曲率半径の１０％変化であり得る。本実施形態において、有効フェース高さ１６３は、約２７．５ｍｍである。様々な実施形態において、有効フェース高さ１６３は、クラウン高さ１６２より２〜７ｍｍ小さくあり得る。様々な実施形態において、有効フェース高さ１６３は、クラウン高さ１６２より２〜１２ｍｍ小さくあり得る。有効フェース位置高さ１６４は、ｚ軸２０６の方向に測定されたときのＧＰからフェース１１０上の最低点までの高さである。本実施形態において、有効フェース位置高さ１６４は、約４ｍｍである。様々な実施形態において、有効フェース位置高さ１６４は、２〜６ｍｍであり得る。様々な実施形態において、有効フェース位置高さ１６４は、０〜１０ｍｍであり得る。ｙ軸２０７の方向に測定されたときのゴルフクラブヘッド１００の長さ１７７も図１Ａを参照して見られる。本実施形態において、長さ１７７は、約８５ｍｍである。様々な実施形態において、長さ１７７は、８０〜９０ｍｍであり得る。様々な実施形態において、長さ１７７は、７３〜９７ｍｍであり得る。距離１７７は、前縁部１７０から後縁部１８０までの長さの測定値である。距離１７７は、様々な実施形態においてゴルフクラブヘッドのロフトに依存し得る。１つの実施形態において、ゴルフクラブヘッドのロフトは、約１５度であり、距離１７７は、約９１．６ｍｍである。１つの実施形態において、ゴルフクラブヘッドのロフトは、約１８度であり、距離１７７は、約８７．４ｍｍである。１つの実施形態において、ゴルフクラブヘッドのロフトは、約２１度であり、距離１７７は、約８６．８ｍｍである。
【００２５】
図２の断面図は、ゴルフクラブヘッド１００の中空性を図示している。本実施形態のゴルフクラブヘッド１００は、内部との境界を提供し得る他の可能な特徴の中で、既に論じられているゴルフクラブヘッド１００の部分（フェース１１０、クラウン１２０、ソール１３０およびスカート１４０を含む）によって囲まれている内部３２０を定義する。本実施形態において、モジュール式ウェイトポート２４０は、ゴルフクラブヘッド１００の外部の任意の領域から内部３２０へのアクセスを提供する。様々な実施形態において、ウェイトポート２４０は、除外され得る。本実施形態の数ある中の１つの目的は、ＣＯＲＦ３００を維持している一方で低重心および前重心のうちの少なくとも１つを提供することである。様々な実施形態において、低重心は、ＣＯＲＦ３００を含まずに達成され得、かつ本開示の少なくとも１つの目的を提供し得る。本実施形態において、第２のウェイトパッド部分３４５は、ゴルフクラブヘッド１００の内側低くに質量が増大した領域を提供する。第１のウェイトパッド部分３６５および第２のウェイトパッド部分３４５の両方は、本実施形態のウェイトパッド３５０の一部である。ウェイトパッド３５０は、本実施形態においてゴルフクラブヘッド１００と一体である。様々な実施形態において、ウェイトパッド３５０は、様々な材料のものであり得、ゴルフクラブヘッド１００に接合され得る。例えば、様々な実施形態において、ウェイトパッド３５０の方向の質量の位置変更が所望される場合、ウェイトパッド３５０は、タングステン、銅、鉛、様々な合金および様々な他の高密度材料のものであり得る。ウェイトパッド３５０がゴルフクラブヘッド１００に接合される別個の部分である場合、ウェイトパッド３５０は、溶接、粘着、エポキシ、締結具またはキーフィット配置などを用いた機械的係止、あるいは様々な他のインターフェース接合方法を介して、ゴルフクラブヘッド１００に接合され得る。様々な実施形態において、ウェイトパッド３５０は、ゴルフクラブヘッド１００の内側上または外側上に配置され得る。第１のウェイトパッド部分３６５は、ｙ軸２０７の方向に距離２８６だけ延在し、第２のウェイトパッド部分３４５は、ｙ軸２０７の方向に距離２８８だけ延在し、合わせて、長さ２９０は、ｙ軸２０７の方向にウェイトパッド３５０全体を定義し、好ましくは、約５５ｍｍである。様々な実施形態において、長さ２９０は、５０〜６０ｍｍであり得る。様々な実施形態において、長さ２９０は、４５〜６２ｍｍであり得る。見られるように、ウェイトパッド３５０は、前縁部１７０から距離３６１だけオフセットされており、これは、図３を参照して以下にさらに詳細に論じられている。本実施形態において、距離３６１は、５．３ｍｍであり、様々な実施形態において、距離３６１は、可能な限り小さいことが所望され得る。様々な実施形態において、距離３６１は、４．５〜６．５ｍｍであり得る。第２のウェイトパッド部分３４５は、ｚ軸の方向に測定されたときの厚さ３４７を有する。本実施形態において、厚さ３４７は、約３．６ｍｍである。様々な実施形態において、厚さ３４７は、２〜４ｍｍであり得る。様々な実施形態において、厚さ３４７は、５ｍｍまでであり得る。ウェイトパッド３５０の端部２７３が断面図に見られる（更なる詳細は図５に見られる）。端部２７３は、ウェイト配分および製造可能性のために傾斜している。
【００２６】
参照用に、ｚ軸２０６に平行である中心線２１４が、図２のビュー内のＣＯＲＦ３００の中心に図示されている。中心線２１４の位置は、図３を参照して以下により詳細に提供される。フェース―クラウン移行点２１６もそのビュー内に見られる。フェース―クラウン移行点２１６は、ｙ軸に沿って切断される平面においてフェース１１０が停止しクラウン１２０が始まる点であり、それは、本実施形態においては原点２０５にまたは全体的にはＣＦにある。フェース１１０およびクラウン１２０がカーブに沿って移行していること、および、フェース―クラウン移行点２１６が本実施形態においてはｙ軸２０７の平面内にまたは全体的には任意の座標系下でＣＦと交差する平面内にのみ位置することを理解されたい。本実施形態において、フェース１１０のロール半径およびバジル半径のせいで、フェース―クラウン移行点２１６フェース１１０とクラウン１２０との間の移行部は、フェース―クラウン移行点２１６においてよりいずれの幾何的空間においても原点２０５に近くならない。加えて、フェース１１０からクラウン１２０までの移行部の部分であって、ｙ軸２０７に平行に測定されたときにｚ軸２０６により近い部分は存在しない。図２のビュー内に見られることが可能であるように、中心線２１４は、ｙ軸２０７に平行に測定されたときに全ての点において、フェース―クラウン移行点２１６よりｚ軸２０６に近い。したがって、フェース１１０とクラウン１２０との間の移行部の点であって、ｙ軸２０７に平行に測定されたときに、ＣＯＲＦ３００の中心を通過する中心線よりｚ軸２０６に近い点は存在せず、したがって、ＣＯＲＦ３００は、本実施形態の任意の点において、フェース１１０からクラウン１２０までの移行部より原点２０５（ＣＦ）に近い。例えばドライバータイプのゴルフクラブヘッドにおいて、ゴルフクラブヘッド１００のロフトが減少する場合、フェース―クラウン移行点２１６は、中心線２１４にアプローチし得ることに留意されたい。しかしながら、本開示は、本実施形態についておよび１３度またはそれより大きい全てのロフトについて正確である。
【００２７】
さらに図２に見られるように、シャフト平面ｚ軸２０９が見られる。シャフト平面ｚ軸２０９は、ｚ軸２０６に平行であるが、ＳＡと同じ平面内にある。参照用に、図７のビューは、ＳＡと同じ切断平面内のシャフト平面ｚ軸２０９の位置を図示している。シャフト平面ｚ軸２０９は、ｙ軸２０７の方向に測定されたときにｚ軸２０６から距離２４１に位置する。本実施形態において、距離２４１は、１３．２５ｍｍである。様々な実施形態において、距離２４１は、１３〜１４ｍｍであり得る。様々な実施形態において、距離２４１は、１０〜１７ｍｍであり得る。様々な実施形態において、距離２４１は、１ｍｍの小ささであり得、２４ｍｍの大きさであり得る。本実施形態において、シャフト平面ｚ軸２０９は、モジュール式ウェイトポート２４０の中心と同一線上に位置する。モジュール式ウェイトポート２４０の位置は、全ての実施形態についてシャフト平面ｚ軸２０９に対して相互に関係づけられる必要はない。
【００２８】
戻って図２を参照すると、本実施形態において、ＣＯＲＦ３００は、ゴルフクラブヘッド１００のソール１３０内に定義されており、ゴルフクラブヘッド１００の内部２３０がゴルフクラブヘッド１００の全ての側面上で金属によって物理的に囲まれないようにする。本実施形態において、ＣＯＲＦ３００は、スルースロットであり、それによって、ゴルフクラブヘッド１００の内部３２０がＣＯＲＦ３００において外部から分離されないように開領域として定義される。本実施形態のＣＯＲＦ３００は、フェース１１０をソール１３０から切り離す。２０１３年３月１５日に出願された「ＧＯＬＦ  ＣＬＵＢ  ＷＩＴＨ  ＣＯＥＦＦＩＣＩＥＮＴ  ＯＦ  ＲＥＳＴＩＴＵＴＩＯＮ  ＦＥＡＴＵＲＥ」というタイトルの出願番号１３／８３９，７２７を有する米国特許出願を参照してより詳細に説明されるように、このような特徴は、複数の予期せぬ利点を提供し、この米国特許出願は、参照により、その全体が本明細書に援用される。様々な実施形態において、ＣＯＲＦ３００の様々な特徴は、所望の結果を達成するために様々な形状、サイズおよび様々な実施形態を含み得る。複数の実施形態において、ゴルフクラブヘッド１００は、個々に組み立てられ組み立て後にゴルフクラブヘッド１００に固定されるフェース１１０を含む。本実施形態において、フェース１１０は、溶接によってゴルフクラブヘッド１００に固定されている。溶接ビード２６２ａ、ｂが本実施形態に見られる。さらに、接フェース平面２３５（ＴＦＰ）が縦断面図に見られる。ＴＦＰ２３５は、原点２０５において（ＣＦにおいて）フェース１１０に接する平面である。フェース１１０がロール半径およびバルジ半径でカーブしているとしても、ＴＦＰ２３５は、フェース１１０についての平面に近接する。ＴＦＰ２３５は、ｚ軸２０６に対して角度２１３で角度づけられている。当業者によって理解されるように、本実施形態の角度２１３は、ゴルフクラブヘッドのロフト角と同じである。本実施形態について、ＳＡは、ｘ軸２０８およびｚ軸２０６によって形成される平面に平行な平面内に完全に存在する。いくつかの実施形態において、ＳＡは、ｘ軸２０８およびｚ軸２０６によって形成される平面に平行な平面内に存在しないだろう。このような実施形態において、シャフト平面ｚ軸２０９は、ｘ軸２０８およびｚ軸２０６によって形成される平面に平行かつＧＰＩＰと交差している平面であるだろう。
【００２９】
ゴルフクラブヘッド１００の重心４００（ＣＧ）が図２に見られる。ウェイトパッド３５０がゴルフクラブヘッド１００の質量の大部分を構成するせいで、ＣＧ４００は、ウェイトパッド３５０の比較的近位に位置する。本ビュー内には、ｚ軸２０６の方向に測定されたときのＣＧ４００のＧＰからの距離が見られ、Δｚと標記されている。本実施形態において、Δｚは、約１２ｍｍである。少なくとも１つの実施形態において、Δｚは、９ｍｍと１０ｍｍとの間である。様々な実施形態において、Δｚは、１１〜１３ｍｍであり得る。様々な実施形態において、Δｚは、１０〜１４ｍｍであり得る。様々な実施形態において、Δｚは、８〜１２ｍｍであり得る。様々な実施形態において、Δｚは、８〜１６ｍｍであり得る。同様に、Δ１と標記されている距離が、ｙ軸２０７の方向に測定されたときのシャフト平面ｚ軸２０９からＣＧ４００までの距離として見られる。本実施形態において、Δ１は、約１１．５ｍｍである。様々な実施形態において、Δ１は、１１ｍｍと１３ｍｍとの間であり得、これらを含み得る。様々な実施形態において、Δ１は、１０ｍｍと１４ｍｍとの間であり得、これらを含み得る。様々な実施形態において、Δ１は、８ｍｍと１６ｍｍとの間であり得、これらを含み得る。
【００３０】
ＣＧ４００の位置ならびにΔｚおよびΔ１の実際の測定値は、ゴルフクラブヘッド１００のプレイアビリティに作用する。ＣＧ４００の射影４０５がＴＦＰ２３５に垂直に見られることが可能である。射影点（本実施形態において標記されていない）は、射影４０５がＴＦＰ２３５と交差する点である。本実施形態において、ＣＧ４００の位置は、フェース１１０の略中心の射影点にあり、これは、本実施形態において（ＣＦにおける）原点２０５の位置である。様々な実施形態において、射影点は、（ＣＦにおける）原点２０５以外の位置にあり得る。
【００３１】
ＣＧ４００の位置―特に、寸法ΔｚおよびΔ１―は、ゴルフクラブヘッド１００の使用に作用する。特に、ゴルフクラブヘッド１００に類似するフェアウェイウッドタイプのゴルフクラブヘッドに関して、小さいΔｚが様々なゴルフクラブヘッド設計において使用されてきた。多くの設計が、設計中に特定のゴルフクラブヘッドのパラメータ内でΔ１を最大化することを試みた。いくつかの設計においてＣＧの後方移動がＭＯＩを増大させることが可能であるので、そのような設計は、ＭＯＩに焦点を当て得る。
【００３２】
しかしながら、後方のＣＧ位置には、いくつか欠点が存在する。１つのそのような欠点は、動的ロフティングである。動的ロフティングは、Δ１（任意のクラブについて、Δ１は、ｙ軸２０７の方向に測定されたときのシャフト平面からＣＧまでの距離である）が特に大きい場合のゴルフスイング中に起こる。（本実施形態において角度２１３として見られる）ロフト角は、静的であるが、Δ１が大きい場合、ゴルフクラブヘッドのＣＧは、使用中にクラブヘッドのロフトを増大させる位置にある。これは、インパクトのときに、シャフト軸からのゴルフクラブヘッドのオフセットＣＧが、ｘ軸２０８周りのゴルフクラブヘッドの回転を引き起こすｘ軸２０８周りのゴルフクラブヘッドのモーメントを生成するので起こる。Δ１が大きくなるほど、ｘ軸２０８周りのモーメントを生成するモーメントアームが大きくなる。それゆえ、Δ１が特に大きい場合、ｘ軸２０８周りのゴルフクラブヘッドのより大きい回転が見られる。増大された回転は、インパクトのときのロフト付加につながる。
【００３３】
動的ロフティングは、いくつかの状況において所望され得、したがって、低くかつ後方のＣＧは、所望の設計要素であり得る。しかしながら、動的ロフティングは、結果的なボール飛行にいくつかの負の効果を引き起こす。第１に、動的ロフトが１度付加されるごとに、打ち出し角度は、０．５〜０．８°増大する。第２に、動的ロフトが１度付加されるごとに、スピン量は、約２００〜２５０ｒｐｍ増大する。増大したスピン量は、いくつかの要因による。第１に、動的ロフティングは、より高いロフトを単に生成し、より高いロフトは、更なるバックスピンにつながる。しかしながら、第２のより予期せぬ解釈は、ギア効果である。ゴルフクラブヘッドのフェース上への後方ＣＧの射影は、中心フェース（中心フェースは、たいていのゴルフクラブヘッドについて理想的なインパクト位置である）の上に射影点を生成する。ギア効果理論は、射影点が打撃位置からオフセットされているとき、ギア効果が射影点の方へのゴルフボールの回転を引き起こすことを述べている。中心フェースは、たいていのゴルフクラブヘッドについて理想的なインパクト位置なので、射影点を中心フェースからオフセットすることは、完璧に打撃されたショットにギア効果を引き起こす可能性がある。特に、後方ＣＧフェアウェイウッドに関して、ゴルフクラブヘッドのロフトは、射影点を中心フェースの上―すなわち、理想的な打撃位置の上に存在させる。この結果、中心打撃のときにギア効果がバックスピンを増大させるようなヘッドのタンブリング動作が生じ、さらにより大きいバックスピンを生成する。ボール飛行が「気球飛行」する―すなわち、言い換えると、急速に上昇するので、バックスピンは、いくつかの設計において問題となり得、結果として生じるゴルフショットの進行距離は、最適スピン条件の場合より短くなり得る。動的ロフティングに関する第３の問題は、極端な場合において、ゴルフクラブヘッドの後縁部がグラウンドに接触して、下手なゴルフショットを引き起こし得ることであり、同様に、前縁部がグラウンドを離れて上昇して、薄いゴルフショットを引き起こし得ることである。上のパラグラフは、中心フェースの理想的な打撃位置を想定することに留意されたい。しかしながら、中心フェースは、必ずしも予測されたまたは理想的な打撃位置ではなく、様々な実施形態において、ＣＧ射影は、中心フェースの上にあり得るが、意図される打撃位置の下に依然としてあり得る。
【００３４】
射影点が中心フェースと位置合わせされないようにＣＧをオフセットすることに関してさらに考慮することは、スピンによるエネルギーの潜在的な喪失である。前述のギア効果問題のせいで、更なるエネルギーがスピンに変わるので、射影点を理想的な打撃位置以外の任意の位置に移動することは、理想的な打撃のときのエネルギー移行を減少させる。したがって、射影点が理想的な打撃位置からオフセットされているゴルフクラブヘッドは、所与のショットのときに、射影点が理想的な打撃位置（中心フェースにあると想定される）と位置合わせされているゴルフクラブヘッドより小さい距離を経験し得る。
【００３５】
前述されているように、いくつかの実施形態において、上述されている事象は、設計プロセスの所望の成果である。本実施形態において、ＣＧ４００の位置は、（原点２０５において）ＣＦに対して近くに位置合わせされる射影点（標記されていない）を生成する。
【００３６】
見られることが可能であるように、本実施形態のゴルフクラブヘッド１００は、小さいΔｚを作り出し、それによって、比較的低いＣＧ４００を有するように設計される。様々な実施形態において、しかしながら、設計考慮の所与のセットについて理想的なプレー条件を達成する目標に対してΔ１のサイズがより重要になり得る。
【００３７】
ＣＧの位置の原点２０５（ＣＦ）からのｙ軸２０７に沿った測定値―ＣＧｙ距離と呼ばれる―は、Δ１と、ｚ軸２０６とシャフト平面ｚ軸２０９と間の距離２４１との合計である。ゴルフクラブヘッド１００の本実施形態において、ＣＧｙ距離に対するバリエーションが本明細書に説明されているが、距離２４１は、名目上１３．２５ｍｍであり、Δ１は、名目上１１．５ｍｍである。ゴルフクラブヘッド１００の様々な実施形態において、ＣＧｙ距離は、１８ｍｍの小ささであり得、３２ｍｍの大きさであり得るが、本実施形態において、ＣＧｙ距離は、２４．７５ｍｍである。
【００３８】
ＣＧｙ距離を知ることは、ゴルフクラブヘッド空間に関係してＣＧの位置を説明するためのＣＧ有効性積の使用を可能にする。ＣＧ有効性積は、ゴルフクラブヘッド内でＣＧを低くかつ前方に位置させる有効性の尺度である。ＣＧ有効性積（ＣＧｅｆｆ）は、以下の式で計算され、本実施形態において、距離の平方の単位（ｍｍ２）で測定される。
ＣＧｅｆｆ＝ＣＧｙ×Δｚ
この式に関して、ＣＧｅｆｆが小さいほど、クラブヘッドが質量を低くかつ前方に位置変更することにおいてより有効である。この測定値は、フェース上へとＣＧを射影することなく、ゴルフクラブヘッド内のＣＧの位置を適切に説明する。したがって、それは、異なるロフト、異なるフェース高さおよびＣＦの異なる位置を有し得るゴルフクラブヘッドの比較を可能にする。本実施形態について、ＣＧｙは、２４．７５ｍｍであり、Δｚは、約１２ｍｍである。したがって、本実施形態のＣＧｅｆｆは、約２９７ｍｍ２である。本開示の他所で示されているように、様々な実施形態において、ＣＧｅｆｆは、３００ｍｍ２未満である。様々な実施形態において、本実施形態のＣＧｅｆｆは、３１０ｍｍ２未満である。様々な実施形態において、本実施形態のＣＧｅｆｆは、３１５ｍｍ２未満である。様々な実施形態において、本実施形態のＣＧｅｆｆは、３２５ｍｍ２未満である。
【００３９】
さらに、ＣＧｙ距離は、ＴＦＰ２３５に垂直に測定されたときのＣＧからフェースまでの距離を知らせる。ＴＦＰ２３５に垂直に測定されたＣＧまでの距離は、射影４０５の距離である。ゴルフクラブヘッドの任意のロフトθ（本実施形態について、角度２１３と同じである）について、ＴＦＰ２３５に垂直に測定されたときのゴルフクラブフェースからＣＧまでの距離（ＤＣＧ）は、以下の等式によって説明される。
ＤＣＧ＝ＣＧｙ×ｃｏｓ（θ）
本実施形態について、１５度のロフトおよび２４．７５ｍｍのＣＧｙは、ＤＣＧが約２３．９ｍｍであることを意味する。様々な実施形態において、ＤＣＧは、２０〜２５ｍｍであり得る。様々な実施形態において、ＤＣＧは、１５〜３０ｍｍであり得る。様々な実施形態において、ＤＣＧは、３５ｍｍ未満であり得る。様々な実施形態において、ＤＣＧは、以前に決定されたＣＧｙ、Δ１、Δｚまたはゴルフクラブヘッド１００のいくつかの他の物理的な側面に対する関係によって左右され得る。
【００４０】
図３を参照して見られるように、本実施形態のＣＯＲＦ３００は、ゴルフクラブヘッド１００の前縁部１７０の近位に定義される。前述されたように、本実施形態のＣＯＲＦ３００は、ゴルフクラブヘッド１００の外部から内部３２０までのポートを提供するスルースロットである。ＣＯＲＦ３００は、第１のソール部分３５５によって１つの側の上に定義される。第１のソール部分３５５は、フェース１１０の近位の領域からソール１３０まで角度３５７で延在し、本実施形態において、角度３５７は、鋭角である。様々な実施形態において、第１のソール部分３５５は、ソール１３０と同一平面にある。しかしながら、本実施形態において、それは、同一平面にない。本実施形態において、角度３５７は、約８８度である。様々な実施形態において、角度３５７は、８５〜９０度であり得る。様々な実施形態において、角度３５７は、８２〜９２度であり得る。第１のソール部分３５５は、ＴＦＰ２３５に垂直に測定されたときに約５．６ｍｍの距離３５９だけフェース１１０から延在する。様々な実施形態において、距離３５９は、５〜６ｍｍであり得る。様々な実施形態において、距離３５９は、４〜７ｍｍであり得る。様々な実施形態において、距離３５９は、１２．５ｍｍまでであり得る。第１のソール部分３５５は、前縁部１７０まで測定したときに距離３６１だけｙ軸２０７に沿って突出し、距離３６１は、ウェイトパッド３５０が前縁部１７０からオフセットされる距離と同じ距離である。本実施形態において、距離３６１は、約５ｍｍである。様々な実施形態において、距離３６１は、４．５〜５．５ｍｍである。様々な実施形態において、距離３６１は、３〜７ｍｍである。様々な実施形態において、距離３６１は、１０ｍｍまでであり得る。本実施形態において、距離３５９、３６１は、切断平面で測定され、その切断平面は、ｙ軸２０７およびｚ軸２０６と一致する。様々な実施形態において、測定値―角度および距離３５９、３６１などの距離を含む―は、測定される位置に依存してかつＣＯＲＦ３００の形状に基づいて変化し得る。
【００４１】
ＣＯＲＦ３００は、ｙ軸２０７に沿って測定されたときに第１のソール部分３５５から第１のウェイトパッド部分３６５まで距離３７０にわたって定義される。本実施形態において、距離３７０は、約３．０ｍｍである。様々な実施形態において、距離３７０は、それより大きくあり得るか、または小さくあり得る。様々な実施形態において、距離３７０は、２．０〜５．０ｍｍであり得る。様々な実施形態において、距離３７０は、ＣＯＲＦ３００に沿って変化可能であり得る。様々な実施形態において、直に隣接する後方鉛直平面３８５ｂが存在しない位置に第１のソール部分３５５が延在し得、したがって、ｙ軸２０７に沿って測定される場合に距離３７０が大きくなり得ることが当業者によって理解される。前述されているように、中心線２１４は、ＣＯＲＦ３００の中心を通過する。ＣＯＲＦ３００の中心は、距離３６６によって定義され、それは、正確に距離３７０の２分の１である。本実施形態において、距離３６６は、１．５ｍｍである。
【００４２】
ＣＯＲＦ３００は、第１のウェイトパッド部分３６５によって前縁部１７０の遠位に定義される。本実施形態の第１のウェイトパッド部分３６５は、第１のウェイトパッド部分３６５内に定義されるモジュール式ウェイトポート２４０に加えてＣＯＲＦ３００を扱う様々な特徴を含む。様々な実施形態において、第１のウェイトパッド部分３６５は、特定の所望の結果に依存する様々な形状およびサイズであり得る。本実施形態において、第１のウェイトパッド部分３６５は、ｙ軸２０７に沿ってＣＯＲＦ３００の上にわたる張り出し部分３６７を含む。張り出し部分３６７は、ＣＯＲＦ３００の上に張り出しているウェイトパッド３５０の任意の部分を含む。本開示の全体について、張り出し部分は、本開示のＣＯＲＦの上に張り出しているウェイトパッドの任意の部分を含む。張り出し部分３６７は、ｙ軸２０７の方向に測定されたときに前縁部１７０に向かって最も遠い張り出し部分３６７の点である最もフェース方向の点３８１を含む。
【００４３】
張り出し部分３６７は、本実施形態において、ＣＯＲＦ３００の距離３７０と略同じ距離だけ張り出している。本実施形態において、（第１のウェイトパッド部分３６５と第２のウェイトパッド部分３４５とを含む）ウェイトパッド３５０は、ゴルフクラブヘッド１００の可能な限り低い重心を提供するように設計される。ｚ軸２０６の方向に測定されたときの張り出し部分３６７の厚さ３７２が図示されている。厚さ３７２は、質量をゴルフクラブヘッド１００全体にわたってどのように分布させて、所望の重心位置を達成するようにするかを決定し得る。本実施形態においては、張り出し部分３６７は、フェース１１０に（または、より適切には、ＴＦＰ２３５（本ビューにおいて図示されていない）に）略平行である傾斜端部３７４を含むが、全ての実施形態において傾斜端部３７４がフェース１１０に平行である必要はない。ＴＦＰ２３５に垂直に測定されたときの、フェース１１０の内表面１１２と傾斜端部３７４との間の距離として、分離距離３７６が図示されている。本実施形態において、ＴＦＰ２３５に垂直に測定されたときの、フェース１１０の内表面１１２と張り出し部分３６７の傾斜端部３７４との間の距離として、約４．５ｍｍの分離距離３７６が見られる。様々な実施形態において、分離距離３７６は、４〜５ｍｍであり得る。様々な実施形態において、分離距離３７６は、３〜６ｍｍであり得る。ＣＯＲＦ３００は、斜角縁部３７５（本ビューにおいて、３７５ａおよび３７５ｂとして図示されている）を含む。後でより詳細に説明されるように、本実施形態において、斜角縁部３７５は、いくつかの応力減少機能を提供する。様々な実施形態において、張り出し部分３６７がＣＯＲＦ３００の上に張り出している距離は、設計の所望の特性に依存して、より小さくなり得るか、またはより大きくなり得る。
【００４４】
見られることが可能であるように、第１のソール部分３５５の内側表面３８２は、ソール１３０に向かって下方向に延在する。内側表面３８２は、低点３８４で終端する。ＣＯＲＦ３００は、ＣＯＲＦ３００の縁部を定義する鉛直表面３８５（本ビューにおいて、３８５ａ、ｂとして図示されている）を含む。ＣＰＲＦ３００は、さらに、張り出し部分３６７の下部表面に沿って定義される終端表面３９０を含む。終端表面３９０は、内側表面３８２の低点３８４から距離３９２だけオフセットされる。オフセット距離３９２は、第１のソール部分３５５の移動のための隙間を提供する。これは、使用において変形し得、それにより、ＣＯＲＦ３００の距離３７０を減少させる。オフセット距離３９２のおかげで、鉛直表面３８５は、鉛直表面３８５ａおよび鉛直表面３８５ｂについて同じでない。しかしながら、鉛直表面３８５は、ＣＯＲＦ３００の周囲で連続的である。本実施形態において、オフセット距離３９２は、約０．９ｍｍである。様々な実施形態において、オフセット距離３９２は、０．２〜２．０ｍｍであり得る。様々な実施形態において、オフセット距離３９２は、４ｍｍまでであり得る。低点３８４とＧＰとの間の距離として、グラウンドに対するオフセット距離３９３も見られる。本実施形態において、グラウンドに対するオフセット距離３９３は、約２．２５ｍｍである。様々な実施形態において、グラウンドに対するオフセット距離３９３は、２〜３ｍｍであり得る。様々な実施形態において、グラウンドに対するオフセット距離３９３は、５ｍｍまでであり得る。後方鉛直表面高さ３９４は、鉛直表面３８５ｂの高さを説明し、前方鉛直表面高さ３９６は、鉛直表面３８５ａの高さを説明する。本実施形態において、前方鉛直表面高さ３９６は、約０．９ｍｍであり、後方鉛直表面高さ３９４は、約２．２ｍｍである。様々な実施形態において、前方鉛直表面高さ３９６は、０．５〜２．０ｍｍであり得る。様々な実施形態において、後方鉛直表面高さ３９４は、１．５〜３．５ｍｍであり得る。終端表面からグラウンドまでの距離３９７も見られ、本実施形態において、約３．２ｍｍである。様々な実施形態において、終端表面からグラウンドまでの距離３９７は、２．０〜５．０ｍｍであり得る。様々な実施形態において、終端表面からグラウンドまでの距離３９７は、１０ｍｍまでであり得る。
【００４５】
様々な実施形態において、鉛直表面３８５ｂは、フィレット、半径、斜角または他の移行を介して、終端表面３９０へ移行し得る。当業者は、様々な実施形態において鋭い角部が簡単に製造されなくあり得ることを理解する。様々な実施形態において、鉛直表面３８５ｂと終端表面３９０との間の移行から利点が見られ得る。これらの表面（３８５、３９０）の間の関係は、本実施形態に加えてこれらのアイディアを含むように意図され、当業者は、フィレット、半径、斜角または他の移行などの特徴が実質的にそのような関係を満たし得ることを理解する。任意の所与の実施形態において、簡単のために、そのような表面間の関係は、そのような特徴が存在しないかのように扱われ、関係のためにとられる測定値は、完全に鉛直または水平である表面を含む必要はない。
【００４６】
本実施形態の張り出し部分５６７の厚さ３７２が見られることが可能である。本実施形態における厚さ３７２は、約３．４ｍｍである。様々な実施形態において、厚さ３７２は、３〜５ｍｍであり得る。様々な実施形態において、厚さ３７２は、２〜１０ｍｍであり得る。本開示の他の実施形態に関係して示されているように、それらの実施形態の特徴と結合される場合、厚さ３７２が大きくなり得る。加えて、後方鉛直表面高さ３９４は、鉛直表面３８５ｂの距離に加えて、斜角３７５の終端から終端表面３９０までのＣＯＲＦ３００の距離を定義するが、そのような関係は、全ての実施形態において必要であるとは限らない。見られることが可能であるように、オフセット距離３９２、グラウンドに対するオフセット距離３９３、および鉛直表面高さ３９４の各々は、厚さ３７２より小さい。したがって、オフセット距離３９２、グラウンドに対するオフセット距離３９３、および鉛直表面高さ３９４の各々の、厚さ３７２に対する比率は、１より小さいか、または１に等しい。様々な実施形態において、ＣＯＲＦ３００は、終端表面からグラウンドまでの距離３９７によって特徴づけられ得る。本実施形態について、厚さ３７２と比較したときの終端表面からグラウンドまでの距離３９７の比率は、約１であるが、様々な実施形態において１より小さくあり得る。本開示のために、厚さ３７２と比較したときの終端表面からグラウンドまでの距離３９７の比率は、「ＣＯＲＦ質量密度比率」と呼ばれる。ＣＯＲＦ質量密度比率がＣＯＲＦの１つの潜在的な特徴づけを提供する一方で、様々なウェイトパッドおよびＣＯＲＦの寸法に関係してこのパラグラフ内および本開示全体にわたって言及されている全ての比率は、質量密度、特徴の物理的位置および潜在的製造可能性を含むＣＯＲＦの様々な側面を特徴づけるように利用され得ることに留意されたい。特に、本明細書内のＣＯＲＦ質量密度比率および他の比率は、他の利益がある中で、ＣＯＲＦの領域に質量を位置変更する有効性を説明する方法を少なくとも提供する。
【００４７】
ＣＯＲＦ３００は、さらに、距離３７０によって特徴づけられ得る。距離３７０と比較したときのオフセット距離３９２の比率は、本実施形態において約１に等しく、様々な実施形態において１より小さくあり得る。
【００４８】
様々な実施形態において、ＣＯＲＦ３００は、施栓材料（図示されていない）を用いて栓をされ得る。本実施形態のＣＯＲＦ３００が（ゴルフクラブ本体においてボイドを提供する）スルースロットであるので、施栓材料でＣＯＲＦ３００を施栓することにより、ＣＯＲＦ３００の中への屑の導入を妨げること、および内部３２０とゴルフクラブヘッド１００の外部との間の分離を提供することは有利である。加えて、施栓材料は、不要な振動、音、またはスルースロットに関連し得る他の負の効果を減少または除去するように選択され得る。施栓材料は、様々な実施形態において、所望の性能に依存して、様々な材料であり得る。本実施形態において、施栓材料は、ポリウレタンであるが、様々な比較的低モジュラス材料が使用され得、様々な比較的低モジュラス材料は、エラストマー性ゴム、ポリマー、様々なゴム、発泡体および充填材を含む。施栓材料は、（後でより詳細に説明されるように）使用するときにゴルフクラブヘッド１００の変形を実質的に妨げるべきではない。
【００４９】
ＣＯＲＦ３００が図４のビュー内に図示されている。本実施形態のＣＯＲＦ３００は、その形状を定義する複数の部分を含む。ＣＯＲＦ３００は、中心部分４２２を含み、中心部分４２２は、好ましくは、ＣＯＲＦ３００の長さの大部分に延在する。中心部分４２２は、ＣＰＲＦ３００の他の部分と比較して比較的まっすぐである。本実施形態において、中心部分４２２は、約１００ｍｍの半径のカーブである。中心部分４２２の輪郭は、前縁部１７０の輪郭にほぼ従い、中心部分４２２の湾曲が前縁部１７０の湾曲から実質的に逸脱しないようにする。ＣＯＲＦ３００の定義幅として、距離３７０が見られることが可能である。定義幅は、定義幅が任意の軸（ｘ軸２０８、ｙ軸２０７、ｚ軸２０６）に対して一定の角度で必ずしも存在しないように鉛直表面３８５に垂直に測定される。ＣＯＲＦ３００は、２つの付加的な部分を含む。ヒール方向戻り部分４２４およびトー方向戻り部分４２６が見られる。ヒール方向戻り部分４２４およびトー方向戻り部分４２６は、前縁部１７０から逸れており、ヒール方向戻り部分４２４およびトー方向戻り部分４２６の領域におけるＣＯＲＦ３００の湾曲が前縁部１７０の湾曲と実質的に同じでないようにする。本実施形態において、ＣＯＲＦ３００の定義幅は、距離３７０が全ての部分（中心部分４２２、ヒール方向戻り部分４２４、トー方向戻り部分４２６）全体にわたってＣＯＲＦ３００の定義幅を定義するように一定のままである。様々な実施形態において、ヒール方向戻り部分４２４およびトー方向戻り部分４２６のうちの少なくとも１つの定義幅は、中心部分４２２の定義幅に対して変化可能であり得る。本実施形態において、ヒール方向戻り部分４２４およびトー方向戻り部分４２６の前縁部１７０からの逸れは、付加的な応力減少を提供し、それにより、ＣＯＲＦ３００に沿ったゴルフクラブヘッド１００の―亀裂または永久的な変形などの―潜在的損傷が避けられる。本実施形態において、ヒール方向戻り部分４２４、中心部分４２２、トー方向戻り部分４２６は、３つの部分間で一定の半径ではない。代わりに、本実施形態のＣＯＲＦ３００は、複数半径（以下、「ＭＲ」）ＣＯＲＦ３００である。図４のビューの配置により、終端表面３９０がＣＯＲＦ３００の中に見られることが可能である。
【００５０】
ＣＯＲＦ３００は、ヒール方向端部４３４およびトー方向端部４３６を含む。ＣＯＲＦ３００の各端部４３４、４３６は、斜角縁部３７５の端部において特定される。様々な実施形態において、斜角縁部３７５は、除外され得、結果として、端部４３４、４３６は、互いにより近くなり得る。距離４５２は、ｘ軸２０８の方向に測定されたときの、トー方向端部４３６とヒール方向端部４３４との間に図示されている。本実施形態において、距離４５２は、４０〜４３ｍｍである。様々な実施形態において、距離４５２は、３３〜５０ｍｍであり得る。様々な実施形態において、距離４５２は、本明細書に言及される範囲より大きくあり得るか、または小さくあり得、ゴルフクラブヘッドのサイズのみによって限定される。ＣＯＲＦ３００は、ｙ軸２０７の方向に測定されたときの距離４５４を含む。本実施形態において、距離４５４は、９〜１０ｍｍである。様々な実施形態において、距離４５４は、７〜１２ｍｍであり得る。様々な実施形態において、距離４５４は、本明細書に言及される範囲より大きくあり得るか、または小さくあり得、ゴルフクラブヘッドのサイズのみによって限定される。
【００５１】
以前に示されているように、２０１３年３月１５日に出願された「ＧＯＬＦ  ＣＬＵＢ  ＷＩＴＨ  ＣＯＥＦＦＩＣＩＥＮＴ  ＯＦ  ＲＥＳＴＩＴＵＴＩＯＮ  ＦＥＡＴＵＲＥ」というタイトルの出願番号１３／８３９，７２７を有する米国特許出願の開示は、参照により、その全体が本明細書に援用される。出願番号１３／８３９，７２７を有する米国特許出願の残りの実施形態は、効率のために除外された。しかしながら、出願番号１３／８３９，７２７を有する米国特許出願の開示全体は、本開示の本体の中に再現されるかのように本明細書に含まれて考慮されるべきである。
【００５２】
出願番号１３／８３９，７２７を有する米国特許出願を参照して理解されることが可能であるように、ＣＯＲＦ３００などのＣＯＲＦを含めることは、特に低フェースのショットのときに、ゴルフクラブフェース１１０の可撓性を増大させることにつながる。当業者は、そのような低フェースの可撓性がゴルフクラブフェース１１０全体についてＣＯＲを増大させることが可能であり、任意のショットのときのより高いエネルギー伝達につながることを理解する。加えて、出願番号１３／８３９，７２７を有する米国特許出願に説明されている特徴は、低くかつ／または前方のＣＧ位置を提供し、質量のそのような配置のスピン低減効果を説明する。
【００５３】
しかしながら、出願番号１３／８３９，７２７を有する米国特許出願のレビューによってあまり理解されないことは、ＣＯＲＦ３００の効果、および結果として生じるスピン上の類似する特徴であり、様々なＣＯＲＦ特徴に対するどのような改変がスピンに作用するのかもあまり理解されていなかった。本開示の特徴は、他の項目がある中で、スピンを変化させるゴルフクラブヘッド上の様々な改変の効果を論じる。
【００５４】
要するに、驚くことに、ゴルフクラブヘッドのフェースの境界条件がＣＯＲに加えてスピンプロファイルに劇的に影響を及ぼすことが見つかった。したがって、そのような特徴の存在が、ＣＯＲおよびおそらく他の特徴に加えてスピンを変化させるので、ＣＯＲ特徴（ＣＯＲＦ）は、より適切に「境界条件特徴（ｂｏｕｎｄａｒｙ  ｃｏｎｄｉｔｉｏｎ  ｆｅａｔｕｒｅ）」すなわちＢＣＦと呼ばれる。本開示のＢＣＦは、様々な実施形態においてフェースに沿って境界条件を軟化する要素を含み得る。本開示のＢＣＦは、様々な実施形態においてフェースに沿って境界条件を硬化する要素を含み得る。当業者は、出願番号１３／８３９，７２７を有する米国特許出願のＣＯＲＦが軟化ＢＣＦのほんの少しの例示的な実施形態であることを理解する。軟化ＢＣＦおよび硬化ＢＣＦの両方が本明細書により詳細に説明される。
【００５５】
当業者によって一般的に理解されるように、任意のゴルフクラブフェースの境界は、ゴルフクラブヘッドのフェースがゴルフクラブ本体の一部に接触する位置として表されることが可能である。ゴルフボールに対するゴルフクラブフェースのインパクトの速さおよび強度を考慮すると、境界は、ゴルフクラブフェースの中心と比較して比較的剛性であり得、フェースは、補強されている縁部より薄くあり得る。フェースの特定の境界の相対的可撓性は、「境界条件」として本明細書に言及されている。
【００５６】
留意されるように、ゴルフクラブヘッドのフェースの境界条件の操作は、結果的に、ゴルフクラブヘッドのインパクトの同じ条件の場合のスピンプロファイルを変化させることとなる可能性がある。最も簡単な形態において、フェースの任意の境界の剛性は、結果的なゴルフショットを変化させることが可能である。以前に留意されたように、ＣＯＲＦ３００などのＣＯＲＦに関する境界条件を取り去ることによって、あるゴルフクラブヘッドにおいてＣＯＲを増大させることが有利となる。しかしながら、フェースの反対側の境界条件が対称的―すなわち、ＣＯＲＦに近位の境界条件と同じ相対的可撓性である場合、そのようなＣＯＲＦは、結果として生じるショットに対して重要なインパクトを有しないだろう。
【００５７】
フェース低部上でＣＯＲを増大させるために、出願番号１３／８３９，７２７を有する米国特許出願の開示のゴルフクラブヘッドは、境界軟化特徴―すなわち、ＣＯＲＦ３００などのＣＯＲＦを含んだ。そのような特徴が、その開示のゴルフクラブヘッドの前縁部の剛性における減少を提供し、フェース低部上で可撓性を増大させることにつながった。しかしながら、そのとき、ゴルフクラブフェースの頂部の剛性が、さらに、結果として生じるショットにインパクトを有することが理解されていなかった。―例えば、２０１０年６月１日に出願された「ＨＯＬＬＯＷ  ＧＯＬＦ  ＣＬＵＢ  ＨＥＡＤ」というタイトルの出願番号１２／７９１，０２５を有する米国特許出願に説明されているように―ＣＯＲＦがゴルフクラブヘッドのクラウン内に含まれる場合、クラウン領域は、以前より比較的剛性ではない。フェースのクラウン境界条件およびソール境界条件の両方がほぼ同じ可撓性―すなわち、言い換えると、対称的であるので、結果的な効果により、フェースがＣＯＲＦなしのふるまいに類似して曲がる。対称的な境界条件によって、境界条件が剛性であるかまたは比較的より可撓であるかに関わらず、結果として生じるインパクトが類似する。
【００５８】
ゴルフクラブヘッドが、比較的剛性な１つの境界条件、および比較的剛性でないかまたはより延性のある別の境界条件を含むとき、結果的な境界条件は、「非対称的」と呼ばれる。非対称的境界条件は、対称的境界条件と比較して劇的にショットパフォーマンスを変化させる。結果的に非対称境界条件につながるＣＯＲＦは、結果的に対称境界条件につながるＣＯＲＦよりＣＯＲに大きなインパクトを提供する。さらに、非対称境界条件を生成することは、ゴルフボールスピン特性に重要なインパクトを有する一方で、対称境界条件を生成することは、改変された境界条件なしのゴルフクラブヘッドと比較してゴルフボールスピン特性にインパクトをほとんど有しない。
【００５９】
概して、境界の一方の側に剛性があり、かつ一方の側に比較的延性がある（非対称境界条件）とき、驚くことに、結果的なスピンプロファイルが、比較的より延性がある境界に矛盾しない方向に変化することが発見された。例えば、クラウンの近位のフェースの境界条件（「クラウン境界条件（ｃｒｏｗｎ  ｂｏｕｎｄａｒｙ  ｃｏｎｄｉｔｉｏｎ）」すなわち「ＣＢＣ」）が、ソールの近位のフェースの境界条件（「ソール境界条件（ｓｏｌｅ  ｂｏｕｎｄａｒｙ  ｃｏｎｄｉｔｉｏｎ）」すなわち「ＳＢＣ」）より概して剛性である場合、ゴルフボールとインパクトするときに、ボールは、ソールに向かう方向にスピンする傾向があり、それによって、ゴルフショットのときのバックスピンが減少する。ＣＢＣがＳＢＣより可撓な場合、ゴルフボールとインパクトするときに、ボールは、クラウンに向かう方向にスピンする傾向があり、それによって、ゴルフショットのときのバックスピンが増大する。
【００６０】
この予期せぬ発見によって、様々なゴルフクラブヘッドのスピン特性を操作する能力がもたらされる。例えば、ドライバータイプのゴルフクラブヘッドにおいて、ゴルフクラブヘッドに可能な限りの低スピンを提供することが概して望ましい。同様に、グリーンにアプローチするために使用されるいくつかのクラブ（例えば、ハイブリッドタイプのゴルフクラブヘッド）において、いくつかのシナリオ―一般的に距離を増大させる―においてスピンを減少させること、または他のシナリオ―ロングアプローチショットのときに、グリーンを維持するより高い能力を可能にする―においてスピンを増大させることが望ましくあり得る。本開示の多くの特徴は、特に、ゴルフクラブヘッドのソールの特徴を参照して説明されている。しかしながら、様々な実施形態において、ソール上に見られる特徴は、様々なゴルフクラブヘッドのクラウン上に同様の相互作用を提供するように改変または位置変更され得る。当業者は、本明細書に提供された説明が、当業者によって理解されるようにその位置のみと同程度の方法で説明されない限り、１つの位置における設置に依存することを意図しないことを理解する。
【００６１】
図５を参照して見られるように、ゴルフクラブヘッド１１００は、ゴルフクラブヘッド１００の特徴および構成要素に略類似する特徴および構成要素を含む。ゴルフクラブヘッド１１００のソール１３０は、ＢＣＦ１３００を含む。本開示において前述されているように、本実施形態のＢＣＦ１３００は、軟化ＢＣＦである。
【００６２】
本実施形態のＢＣＦ１３００は、その形状を定義する複数の部分を含む。ＢＣＦ１３００は、複数のＢＣＦ１３００を備える中心部分１４２２を含む。本実施形態において、中心部分１４２２は、カーブした形状を含む。本明細書に説明されている様々な実施形態のいくつかの特徴と対照的に、ＢＣＦ１３００は、前縁部１７０の湾曲の逆である湾曲を含む。したがって、ＢＣＦ１３００の最前縁部１４２５の中心点１４２３は、第１の中心部分端部点１４３３または第２の中心部分端部点１４３５より前縁部１７０から遠い。本実施形態において、中心点１４２３は、応力の集中を減少させるために前縁部１７０から取り除かれ、応力の集中は、ゴルフクラブヘッドの脆弱または損傷を起こしてしまう可能性がある。ＢＣＦ１３００は、２つの付加的な部分を含む。ヒール方向戻り部分１４２４およびトー方向戻り部分１４２６が見られる。ヒール方向戻り部分１４２４およびトー方向戻り部分１４２６は、前縁部１７０から逸れている。本実施形態において、最後縁部１４３９の湾曲が最前縁部１４２５の湾曲に概して従うので、ＢＣＦ１３００の定義幅は、略一定のままである。様々な実施形態において、ヒール方向戻り部分１４２４およびトー方向戻り部分１４２６のうちの少なくとも１つの定義幅は、中心部分１４２２の定義幅に対して変化可能であり得る。本実施形態において、ヒール方向戻り部分１４２４およびトー方向戻り部分１４２６の前縁部１７０からの逸れは、付加的な応力減少を提供し、それにより、ＢＣＦ１３００に沿ったゴルフクラブヘッド１１００の―亀裂または永久的な変形などの―潜在的損傷が避けられる。本実施形態において、ヒール方向戻り部分１４２４、中心部分１４２２およびトー方向戻り部分１４２６は、３つの部分間で一定の半径ではない。代わりに、本実施形態のＢＣＦ１３００は、複数半径（以下、「ＭＲ」）ＢＣＦ１３００である。
【００６３】
ＢＣＦ１３００は、ヒール方向端部１４３４およびトー方向端部１４３６を含む。距離１４５２が、ｘ軸２０８の方向に測定されたときのトー方向端部１４３６とヒール方向端部１４３４との間に図示されている。本実施形態において、距離１４５２は、約８３ｍｍである。様々な実施形態において、距離１４５２は、８０〜８５ｍｍであり得る。様々な実施形態において、距離１４５２は、７５〜９５ｍｍであり得る。様々な実施形態において、距離１４５２は、本明細書に言及される範囲より大きくあり得るか、または小さくあり得、ゴルフクラブヘッドのサイズのみによって限定される。ＢＣＦ１３００は、ｙ軸２０７の方向に測定されたときの距離１４５４を含む。本実施形態において、距離１４５４は、１０〜１４ｍｍである。様々な実施形態において、距離１４５４は、７〜２０ｍｍであり得る。様々な実施形態において、距離１４５４は、本明細書に言及される範囲より大きくあり得るか、または小さくあり得、ゴルフクラブヘッドのサイズのみによって限定される。様々な実施形態において、距離１４５２は、ゴルフクラブヘッド１１００のヒール―トー長さの７０％と９５％との間の長さであり、ヒール―トー長さは、トー１８５からヒール１９０までの長さである。様々な実施形態において、距離１４５２は、ゴルフクラブヘッドのヒール―トー長さの８０％から９０％までの長さである。様々な実施形態において、距離１４５２は、長さ１７７のパーセンテージとして比較され得る。
【００６４】
図５、６Ｂを参照して見られることが可能であるように、ＢＣＦ１３００の一部は、トー１８５およびヒール１９０の近位にゴルフクラブヘッド１１００のスカート１４０上へ延在する。ＢＣＦ１３００のサイズは、出願番号１３／８３９，７２７を有する米国特許出願に開示されている様々なＣＯＲＦおよびＣＯＲＦ３００のサイズよりかなり大きい。
【００６５】
図６Ａを特に参照すると、ＢＣＦ１３００は、ＧＰより上に高さ１４７２まで延在し、高さ１４７２は、約８．５ｍｍである。様々な実施形態において、ＢＣＦ１３００は、８〜９ｍｍの間延在し得る。様々な実施形態において、ＢＣＦ１３００は、６〜１１ｍｍ延在し得る。様々な実施形態において、ＢＣＦ１３００は、４．５〜１１．５ｍｍ延在し得る。ＢＣＦ１３００は、ゴルフクラブヘッド１１００のスカート１４０の中へ延在する。
【００６６】
図７を参照して見られるように、ウェイトパッド１３５０は、先の実施形態および出願番号１３／８３９，７２７を有する米国特許出願に開示されている実施形態と同様に、ゴルフクラブヘッド１１００に含まれる。ウェイトパッド１３５０は、ウェイトパッド１３５０の最後端部１２７４から最前端部１２７６まで概して増大する厚さを提供する傾いた表面１２７３を含む。質量パッド１３５０の厚さ１２７８は、最前端部１２７６においてｚ軸２０６に平行に測定される。本実施形態において、厚さ１２７８は、約１０．３ｍｍである。様々な実施形態において、厚さ１２７８は、９から１２ｍｍまでの範囲の厚さであり得る。様々な実施形態において、厚さ１２７８は、６から１５ｍｍまでの範囲の厚さであり得る。フェース１１０の近位のウェイトパッド１３５０の特徴は、様々な位置において、低下した厚さを提供し得ることに留意されたい。重心１４００がビュー内に見られる。重心１４００は、ＣＦ２０５の下にある射影点１５１０を提供する。本実施形態において、射影点１５１０は、ＣＦ２０５の下約０．１ｍｍに存在する。様々な実施形態において、様々な質量設置は、結果的に、射影点１５１０などの射影点が、０．５ｍｍ、１．０ｍｍ、１．５ｍｍ、２．０ｍｍだけＣＦ２０５の下に存在することとなり得、様々な実施形態においてＣＦ２０５の下約４ｍｍに存在することとなり得る。様々な実施形態において、射影点１５１０は、ＣＦ２０５の下７ｍｍまで存在し得る。様々な実施形態において、射影点１５１０は、中心フェースの上２ｍｍまで存在し得る一方で、意図される打撃位置の下に依然としてあり得る。加えて、射影点は、本開示の様々な他の実施形態に対しておよび出願番号１３／８３９，７２７を有する米国特許出願の様々な実施形態に対して論じられているように存在し得る。本実施形態におけるΔｚおよびΔ１についての距離は、各々、１２．１ｍｍおよび９．４ｍｍである。様々な実施形態において、Δｚについての距離は、１１〜１３ｍｍ、１０〜１３．５ｍｍ、および８〜１１．５ｍｍであり得る。様々な実施形態において、Δｚについての距離は、６ｍｍの小ささであり得、１８ｍｍの大きさであり得る。様々な実施形態において、Δ１は、９〜１０ｍｍ、８〜１１ｍｍ、７〜１１．５ｍｍ、および６．５〜１３ｍｍであり得る。様々な実施形態において、Δ１は、２ｍｍの小ささであり得る。そうではないとで示されるものを除いて、本開示に言及されている全ての範囲がその範囲の端を含むように意図される。ΔｚおよびΔ１についての範囲は、さらに、本開示の様々な他の実施形態に対しておよび出願番号１３／８３９，７２７を有する米国特許出願の様々な実施形態に対して論じられているように存在し得る。
【００６７】
本実施形態において、ＢＣＦ１３００の絶対幅１３７０が提供されている。本実施形態において、絶対幅１３７０は、約５．５ｍｍである。様々な実施形態において、絶対幅１３７０は、４ｍｍと７ｍｍとの間であり得る。様々な実施形態において、絶対幅１３７０は、１０ｍｍまでであり得る。先の実施形態は、様々なタイプのＢＣＦおよびＣＯＲＦの幅１３７０について他の限定を提供し、当業者が、異なるサイズのＢＣＦが本開示により生成され得ることを理解するようにする。本実施形態において、絶対幅１３７０は、鉛直表面３８５ａ、ｂに垂直に測定され、これらは、本実施形態において、ＳＡまたはｚ軸２０６に平行ではない。しかしながら、本実施形態において、ｙ軸に平行に測定されたときのＢＣＦの距離は、絶対距離と略同じである。本開示において絶対距離として提供される距離に関する範囲について、当業者は、測定値の角度が座標系に対して大きな角度ではない場合に、特定の座標系において得られる測定値が実質的に異ならないことを理解する。したがって、本例において、絶対幅１３７０は、ｙ軸に平行に測定されたときの幅と略同じである。ＢＣＦ１３００は、ソール１３０を後方鉛直表面３８５ｂに接続する半径１４０２を含む。半径１４０２は、ショットのときにより良い芝生相互作用を提供し得、フィラー材料は、後方鉛直表面３８５ｂとソール１３０との間のそのような移行領域を覆わなくあり得る。
【００６８】
本実施形態において、第１のソール部分３５５は、リップ特徴１５５５を含む。リップ特徴１５５５は、第１のソール部分３５５の厚さから単に可能であるものの上に鉛直表面３８５ａの物理的伸長を提供する。したがって、リップ特徴１５５５は、厚くなった部分であり、第１のソール部分３５５より大きい厚さを含む。フィレット１５５７は、第１のソール部分３５５とリップ特徴１５５５との間に含まれる。本実施形態のリップ特徴１５５５は、ゴルフクラブヘッド１１００の他の特徴に接続することなく終端するが、様々な実施形態は、様々な接続特徴を含み得る。
【００６９】
見られることが可能であるように、第１のソール部分３５５は、適度の厚さを有する。（図５を特に参照して）以前に留意されたように、ＢＣＦ１３００の距離１４５２は、先の実施形態に開示されているものよりかなり大きい。したがって、ＢＣＦ１３００の一部は、かなり大きい屈曲およびかなり高い応力の集中を経験する可能性がある。リップ特徴１５５５を含めることは、最も応力が集中する位置において、増大した材料厚さの補強を提供し、これは、ＢＣＦ１３００の壁に沿って位置する傾向がある。そのような特徴は、第１のソール部分３５５の厚さを増大させることなく、亀裂または他の損傷に対してＢＣＦ１３００を補強することが可能であり、それによって、ＢＣＦ１３００の可撓性の大部分を維持し、ゴルフクラブヘッドのフェース１１０のより大きな屈曲を可能にするようにする。
【００７０】
図８を参照すると、距離３５９および３６１が見られ、距離３５９は、ＴＦＰ２３５に垂直に測定され、距離３６１は、ｙ軸２０７に平行に測定される。本実施形態において、距離３５９および３６１の両方は、９ｍｍと９．５ｍｍとの間である。様々な実施形態において、距離３５９および３６１は、第１のソール部分３５５の角度３５７に依存して、互いに実質的に異なり得るか、または実質的に同じであり得る。様々な実施形態において、距離３５９、３６１は、７ｍｍと１１ｍｍとの間であり得る。様々な実施形態において、距離３５９、３６１は、１５ｍｍまでであり得る。本実施形態において、第１のソール部分３５５は、約１．８０ｍｍの絶対厚さ１４１１を有する。様々な実施形態において、第１のソール部分３５５は、厚さ１４１１において１ｍｍから２ｍｍまでであり得る。様々な実施形態において、第１のソール部分３５５は、０．５ｍｍの小ささであり得、様々な実施形態において、第１のソール部分３５５は、厚さ１４１１において４ｍｍまでであり得る。様々な実施形態において、第１のソール部分３５５は、ｘ軸２０８、ｙ軸２０７およびｚ軸２０６の方向にその輪郭に沿った様々な厚さを有し得る。様々な実施形態において、第１のソール部分３５５は、絶えず変化する輪郭を有し得るか、または一貫して変化する輪郭を有し得る。当業者は、本開示のおよび出願番号１３／８３９，７２７を有する米国特許出願の開示の他の実施形態に鑑みた改変は、開示の一般的な範囲から実質的に逸することなく実装され得ることを理解する。
【００７１】
リップ特徴１５５５は、本実施形態において、約６ｍｍの距離１３９３だけゴルフクラブヘッド１１００の中へ延在する。距離１３９３は、絶対距離であるが、本実施形態において、ＴＦＰ２３５またはｚ軸２０６に平行に測定されたときの距離は、実質的に異ならない。様々な実施形態において、リップ特徴１５５５は、４ｍｍと８ｍｍとの間であり得る。様々な実施形態において、リップ特徴１５５５は、２ｍｍの小ささであり得、１５ｍｍの大きさであり得る。リップ特徴１５５５の厚さ１５５８は、約１．０ｍｍである。様々な実施形態において、厚さ１５５８は、０．５ｍｍの小ささであり得、４ｍｍの大きさであり得る。本実施形態において、張り出し部分１３６７の終端表面１３９０は、約８ｍｍの距離１３９７だけＧＰの上に位置する。様々な実施形態において、距離１３９７は、４ｍｍから１８ｍｍまでであり得る。様々な実施形態において、距離１３９７は、６ｍｍから１２ｍｍまでであり得る。様々な実施形態において、終端表面３９０は、除外され得、様々な実施形態において、張り出し部分１３６７は、その全体が除外され得るか、または大きくされ得る。
【００７２】
図９を参照して見られるように、張り出し部分１３６７の一部は、ウェイトパッド１３５０と一致する。しかしながら、ヒール方向端部１４３４およびトー方向端部１４３６の近位で、張り出し部分１３６７は、ウェイトパッド１３５０から逸する。見られることが可能であるように、本実施形態において、機械的損傷に対してＢＣＦ１３００を補強する手段が、ヒール方向端部１４３４およびトー方向端部１４３６の近位に付加された。本実施形態において、ヒール方向補強領域１９０３およびトー方向補強領域１９０７は、材料の厚さが増大した区域である。本実施形態において、リブ１９０１は、トー１８５の近位のスカート１４０とＢＣＦ１３００を接続する。そのような特徴は、機械的補強のためにおよび／または健全なパフォーマンスのために含まれ得る。
【００７３】
図１０に見られるように、本実施形態において、ＢＣＦ２３００は、ドライバータイプヘッドであるゴルフクラブヘッド２１００の中へ実装され得る。ゴルフクラブヘッド２１００の中へ実装されたＢＣＦ２３００のサイズは、ゴルフクラブヘッド１１００についてのＢＣＦ１３００と略同じであるが、ドライバータイプのゴルフクラブヘッド２１００の中へのＢＣＦ２３００の実装によって様々な特徴が変化し得る。
【００７４】
図１１Ａを特に参照すると、ＢＣＦ２３００は、ＧＰの上に約１４．０ｍｍである高さ２４７２まで延在する。様々な実施形態において、高さ２４７２は、約１２〜１６ｍｍである。様々な実施形態において、高さ２４７２は、１０〜２０ｍｍである。様々な実施形態において、高さ２４７２は、１１ｍｍより大きい。ＢＣＦ２３００は、ゴルフクラブヘッド２１００のスカート１４０の中へ延在する。様々な実施形態において、ＢＣＦ２３００は、ＢＣＦ１３００より少し異なる寸法を有し得るか、またはＢＣＦ１３００と実質的に同じであり得る。図１１Ｂ〜１１Ｃを参照して見られることが可能であるように、本実施形態におけるゴルフクラブヘッド２１００の長さ１７７は、約１１６ｍｍである。様々な実施形態において、ゴルフクラブヘッド２１００の長さ１７７は、１１０〜１２０ｍｍであり得る。様々な実施形態において、長さ１７７は、１０５〜１２５ｍｍであり得る。様々な実施形態において、ゴルフクラブヘッド２１００の長さ１７７は、１００ｍｍより大きくあり得る。ゴルフクラブヘッド２１００は、約１２０ｍｍのヒール―トー長さ２１７７を含む。様々な実施形態において、ヒール―トー長さ２１７７は、１１０ｍｍから１３０ｍｍまでであり得る。様々な実施形態において、ヒール―トー長さ２１７７は、１００ｍｍより大きくあり得る。ゴルフクラブヘッド２１００は、約６４ｍｍのクラウン高さ１６２を含む。様々な実施形態において、クラウン高さ１６２は、６０〜７０ｍｍであり得る。様々な実施形態において、クラウン高さは、５５ｍｍより大きくあり得る。
【００７５】
ゴルフクラブヘッド２１００が図１２を参照してより詳細に見られる。ゴルフクラブヘッド２１００は、ウェイトパッド２３５０を含む。本実施形態において、ヒール方向補強領域２９０３およびトー方向補強領域２９０７は、材料の厚さが増大した区域である。各補強領域２０９３、２０９７は、耐久性および健全なパフォーマンスを補助する複数のリブ２０９１ａ、ｂ、ｃ、ｄを含む。本実施形態のＢＣＦ２３００は、形状および機能において張り出し部分１３６７と類似する張り出し部分２３６７を含む。しかしながら、本実施形態において、張り出し部分２３６７は、張り出し部分２３６７の頂部からゴルフクラブ本体の中空空間の中へ延在するリブ２３６８を含む。付加的な健全なパフォーマンスのためにゴルフクラブヘッド２１００のスカートおよびソールを接続する様々な付加的なリブが見られる。
【００７６】
図１３のビューは、ゴルフクラブヘッド内の位置を図示するリブ２３６８の第２のビューを含む。見られることが可能であるように、リブ２３６８は、略三角形であり、ＣＦ２０５と略一致する―すなわち、言い換えると、ｙ軸２０７およびｚ軸２０６によって形成される平面と交差する―位置において最上方向の突出量を有し、リブ２３６８は、ヒール１９０およびソール１８５の両方に向かってそのリブの長さに沿って先細る。リブ２３６８は、改良された健全なパフォーマンスを提供する。
【００７７】
さらに、図１３のビュー内に、ゴルフクラブヘッド２１００のクラウン１２０の近位に位置する第２のＢＣＦ２８００が見られる。本実施形態において、ＢＣＦ２８００は、硬化ＢＣＦである。ＢＣＦ２８００は、フェース―クラウン移行点２１６の近位のゴルフクラブヘッドに中心に位置する複数のリブである。本実施形態において、ＢＣＦ２８００は、約１４ｍｍの長さ２８０３を有する。様々な実施形態において、ＢＣＦ２８００の硬さおよびクラウン１２０の近位のフェース１１０の一部の硬さを調整する必要に応じて、長さ２８０３は、より大きくあり得るか、またはより小さくあり得る。当業者が理解するように、全ての材料、角度、接合部および様々な厚さが同じであるとき、ＢＣＦ２８００のより小さい長さ２８０３は、一般的に、より大きい長さ２８０３より硬くない。様々な実施形態において、長さ２８０３は、１２〜１６ｍｍであり得る。様々な実施形態において、長さ２８０３は、１０〜２０ｍｍであり得る。様々な実施形態において、長さ２８０３は、５ｍｍより大きくあり得る。
【００７８】
図１４を参照して見られるように、ＢＣＦ２８００は、３つのリブ２８０５ａ、ｂ、ｃを含む。様々な実施形態において、任意の数のリブ２８０５が利用され得る。様々な実施形態において、リブは、異なるサイズおよび形状を有し得る。各リブ２８０５ａ、ｂ、ｃは、距離２８１５ａ、ｂだけ隣のリブ２８０５ａ、ｂ、ｃから分離されている。本実施形態において、各距離２８１５ａ、ｂは、約１２ｍｍである。様々な実施形態において、距離２８１５ａ、ｂは、ＢＣＦ２８００を硬化するかまたは軟化する設計の目標に依存して、より大きくなり得るか、またはより小さくなり得る。各リブ２８０５は、厚さ２８０６ａ、ｂ、ｃを有する（ビューの簡単さのために２８０６ａ、ｂは省略されている）。本実施形態において、厚さ２８０６は、約１ｍｍであるが、様々な実施形態において、その厚さは、０．２５ｍｍから４ｍｍまでであり得る。当業者によって理解され得るように、様々な実施形態において、硬化ＢＣＦは、厚くなった領域、複数材料実装、様々な突起または他の特徴を含み得る。
【００７９】
図１５を参照して図示されているように、ゴルフクラブヘッド３１００は、ＢＣＦ３３００を含む。ＢＣＦ３３００は、全体的な形状において、本開示において以前に開示されたＣＯＲＦ３００（さらにＢＣＦ）に類似する。しかしながら、いくつかの留意すべき違いが存在する。ＢＣＦ３３００は、寸法においてＣＯＲＦ３００より大きい。
【００８０】
図１６のビュー内に見られることが可能であるように、ＢＣＦ３３００は、張り出し部分３３６７がリップ特徴３５５５から後方に延在することを除いて、リップ特徴１５５５に類似するリップ特徴３５５５から後方に延在する張り出し部分３３６７を含む。張り出し部分３３６７は、ＢＣＦ３３００の特定の要素上での応力の集中を減少させるための更なる応力減少特徴として、リップ特徴３５５５に接続される。図１５の更なるレビューによって見られることが可能であるように、本開示内および出願番号１３／８３９，７２７を有する米国特許出願の開示内の他所の実施形態と同様に、ＢＣＦ３３００は、前縁部１７０の外形に概して従う。
【００８１】
図１７を参照して図示されているように、ゴルフクラブヘッド４１００は、ＢＣＦ４３００を含む。図１８を参照すると、ＢＣＦ４３００は、リップ特徴３５５５に類似するリップ特徴４５５５から後方に延在する張り出し部分４３６７を含む。張り出し部分４３６７は、ＢＣＦ４３００の特定の要素上での応力の集中を減少させるための更なる応力減少特徴として、リップ特徴４５５５に接続される。図１７の更なるレビューによって見られることが可能であるように、本開示内および出願番号１３／８３９，７２７を有する米国特許出願の開示内の他所の実施形態と同様に、ＢＣＦ４３００は、前縁部１７０の外形に概して従う。ウェイトパッド４３５０が図１８のビュー内に部分的に見られることが可能であり、ウェイトパッド４３５０は、形状およびサイズにおいて、本開示内に以前に開示されたウェイトパッド１３５０に類似する。図１９を参照して見られるように、本実施形態において、ＢＣＦ４３００は、ＧＰの上に約１４．０ｍｍである高さ４４７２まで延在する。高さ４４７２は、高さ２４７２と略同じであり、さらに、当業者は、高さ２４７２の寸法の変化が高さ４４７２に適用されることを理解する。
【００８２】
本開示内で以前に留意されたように、本明細書に開示されているＢＣＦは、本開示によるゴルフショットについて変化したスピンプロファイルを提供する境界条件を操作する。
【００８３】
本開示内に説明されている様々な試験において測定されたときの距離は、有限要素解析（ＦＥＡ）シミュレーションに基づく。一般的に、ＦＥＡおよびロボット試験の両方についての試験パラメータは、同じに設定される。フェアウェイウッドタイプおよびハイブリッドタイプのゴルフクラブヘッドの試験および分析について、試験は、１０７ｍｐｈのクラブヘッド速さ、インパクトにおいて４°のデロフティング、０．５°の下方軌道、およびグラウンドに対して０°のスコアライン（グラウンド平面に平行であるスコアライン）のインパクト条件を有して設定される。これは、以下の方法論において同様の設定条件で実験的に実証される。ロボットおよびヘッドトラッカーを利用して、中心フェースショットのためのクラブを設定する。インパクト条件は、１０７±１ｍｐｈのクラブヘッド速さ、４±１°のデロフティング、グラウンドに対して０±１°のスコアラインライ角、ターゲットラインに対して２±１°のオープンフェース角度、２±１°の内側―外側ヘッド軌道、および０．５±１°の下方軌道である。ドライバータイプのゴルフクラブヘッドの試験および分析について、ターゲットクラブヘッド速さは、１０７ｍｐｈであり、０°のデロフティング、０．５°の下方軌道、およびグラウンドに対して０°のスコアラインである。ドライバータイプのゴルフクラブヘッド試験に関係するロボット試験について、インパクト条件は、１０７±１ｍｐｈのクラブヘッド速さ、０±１°のデロフティング、グラウンドに対して０±０．５°のスコアライン、ターゲットに対して１．５°〜２．０°のフェース角度、１．５°±２．０°の内側―外側ヘッド軌道、および−１°〜０°の下方軌道である。本開示のために、用語「インパクトロフト」は、ヘッド静的ロフトからデロフティングを引いたものとして説明されることが可能である。したがって、ＦＥＡ分析において約４°のデロフティングを有する約１５°の静的ロフトのフェアウェイウッドタイプのゴルフクラブヘッドについて、インパクトロフトは、約１１°である。同様に、１１°の静的ロフトおよび０°のデロフティングを有するドライバータイプのゴルフクラブヘッドについて、インパクトロフトは、約１１°である。ロボット試験のために、インパクトロフトは、インパクトときに測定されたゴルフクラブヘッドのロフトである。様々な試験において、動的ロフティングが起こり得る。ゴルフクラブヘッドのＣＧがＳＡからどれくらい遠いかに依存して、動的ロフトは、試験のインパクトロフトに重要なインパクトを有し得る。例えば、様々な実施形態において、上に明記された試験条件について約４°のデロフティングを有する約１５°の静的ロフトをゴルフクラブヘッドが有する場合、動的ロフティングは、試験のインパクトロフトが１１°より大きいようなゴルフクラブヘッドのインパクトロフトにおいて差異を引き起こす可能性がある。例えば、動的ロフティングが２°付加した場合、正味のインパクトロフトは、１１°の代わりに１３°である。したがって、ＦＥＡ試験について、動的ロフティングは考慮されず、インパクトロフトは、単に、静的ロフトからデロフティングを引いたものである。ロボット試験について、インパクトロフトは、静的ロフト、試験プロトコ��デロフティングおよび動的ロフティングを加味するインパクトのときの実際のロフトである。
【００８４】
ロボットが所望のヘッドインパクト条件を達成するように一旦設定されると、ボールは、±１ｍｍの範囲内での中心フェースインパクトのためにティー上に設置される。少なくとも１０のショットが中心フェースでなされ、平均距離（キャリーおよび合計の両方）が測定される。中心フェースについての平均キャリーは、ＤＣＣＦと呼ばれ、中心フェースについての平均合計距離は、ＤＴＣＦと呼ばれる。次に、ティーは、別のインパクト位置（すなわち、中心フェースから５±１ｍｍヒール）に移動され、１０の更なるショットがなされ、平均キャリーおよび合計距離が測定される。５ｍｍヒールについての平均キャリーは、ＤＣ５Ｈと呼ばれ、５ｍｍヒールについての平均合計距離は、ＤＴ５Ｈと呼ばれる。これは、平均キャリーおよび合計距離が、少なくとも、これらのティー位置の各々および中心フェースショットに対するものと同じヘッド提示からの１０のショットに基づいて測定される他のインパクト位置ごとに繰り返される。これらは、５ｍｍトーについてＤＣ５ＴおよびＤＴ５Ｔ、中心フェースの上５ｍｍについてＤＣ５ＡおよびＤＴ５Ａ、ならびに中心フェース下５ｍｍについてＤＣ５ＢおよびＤＴ５Ｂと呼ばれる。インパクト位置ごとに平均距離を測定した後、キャリー範囲ＤＣＲＡＮＧＥ（最大平均キャリー−最小平均キャリー）が決定され、合計距離範囲ＤＴＲＡＮＧＥ（最大平均合計−最小平均合計）が計算される。さらに、キャリーの標準偏差ＤＣＳＤＥＶが、ＤＣＣＦ、ＤＣ５Ｈ、ＤＣ５Ｔ、ＤＣ５ＡおよびＤＣ５Ｂから計算され、合計距離の標準偏差ＤＴＳＤＥＶが、（ＤＴＣＦ、ＤＴ５Ｈ、ＤＴ５Ｔ、ＤＴ５ＡおよびＤＴ５Ｂ）から計算される。様々な試験において、そのような分析および試験は、中心フェースおよびバランス点の２つが異なる場合、中心フェースの代わりにバランス点から開始して行われることが可能である。様々な実施形態において、様々な試験は、バランス点―フェース上へのＣＧの射影からの同じプロトコルに従い得る。しかしながら、そうではないと言及しない限り、本開示内のデータは、バランス点ではなくＣＦに対する試験プロトコルを使用して測定される。
【００８５】
適したロボットがＧｏｌｆ  Ｌａｂｏｒａｔｏｒｉｅｓ，Ｉｎｃ．，２５１４  Ｓａｎ  Ｍａｒｃｏｓ  Ａｖｅ．Ｓａｎ  Ｄｉｅｇｏ，Ｃａｌｉｆｏｒｎｉａ，９２１０４から得られ得る。適したヘッドトラッカーは、Ｆｏｒｅｓｉｇｈｔ  Ｓｐｏｒｔｓ，９９６５  Ｃａｒｒｏｌｌ  Ｃａｎｙｏｎ  Ｒｏａｄ，Ｓａｎ  Ｄｉｅｇｏ，Ｃａｌｉｆｏｒｎｉａ  ９２１３１からのＧＣ２  Ｓｍａｒｔ  Ｔｒａｃｋｅｒ  Ｃａｍｅｒａ  Ｓｙｓｔｅｍである。他のロボットまたはヘッドトラッカーシステムも使用され得、これらのインパクト条件を達成し得る。適した試験ゴルフボールは、ＴａｙｌｏｒＭａｄｅ  Ｌｅｔｈａｌゴルフボールであるが、他の同様の商業上利用可能なウレタンで被覆されたボールも使用され得る。概して、同様の商業上利用可能なゴルフボールは、同様の仕様の範囲内にある。したがって、同様の商業上利用可能なウレタンで被覆されたゴルフボールは、０．０２〜０．０５インチの間の厚さおよび５０と６５との間のショアＤ硬度のポリウレタン外側被覆、少なくとも２つの層（少なくとも１つの層は、コアである）、７５〜１００のＰＧＡコンプレッション、１．６７０〜１．６９０インチの間の直径、４５〜４６グラムの間の質量を含み、全ての範囲がその範囲の端を含む。様々な実施形態において、毎秒１２５フィートＶｉｎのボールのＣＯＲは、０．８００〜０．８２０（０．８００と０．８２０とを含む）であるが、そのようなＣＯＲは、全ての試験ボールの実施形態について上に言及されている範囲内にある必要はない。様々な実施形態において、ボールのＣＯＲは、上述されている範囲と異なり得る。たいていの実施形態において、少なくとも１つの層は、アイオノマーマントル層であり、たいていの実施形態において、コアは、ポリブタジエンコアであるが、様々な樹脂ベースのコア材料は、ポリブタジエンコア材料と同様に働き得る。試験のために使用される全てのボールは、商業上利用可能かつＵＳＧＡ準拠であるに違いない。合計距離測定値のための好まれるランディング表面が標準フェアウェイ条件である。さらに、風は、試験中、ショット間の変化を最小にするために、４ｍｐｈ平均より小さくあるべきである。
【００８６】
表１は、上に示されたＦＥＡシミュレーションデータを含む。表１のデータは、産業内のゴルフクラブヘッド、特に、ＴａｙｌｏｒＭａｄｅ  ＪｅｔＳｐｅｅｄフェアウェイウッドの中へ実装される、出願番号１３／８３９，７２７を有する米国特許出願の１つの実施形態のゴルフクラブヘッドと比較して、本開示のゴルフクラブヘッドを分析する。表１の各ゴルフクラブヘッドは、１４．６°のロフト、１．０°オープンのフェース角度、１０７．０ｍｐｈのクラブヘッド速さで設定された。データは、中心フェース、中心フェースの上５ｍｍ、中心フェースの下５ｍｍにおいて測定された。
【００８７】
【表１】
0006778995.tif 000003
【００８８】
見られることが可能であるように、本開示のゴルフクラブヘッドの各々は、全ての比較可能なショット上のスピンを低下させた。加えて、ＣＯＲは、多くの位置においてより高く、結果的に、ボール速さが増大した。結果として、様々なゴルフクラブヘッドで打撃したショットは、比較可能なＪｅｔＳｐｅｅｄゴルフクラブヘッドより長い合計距離を進行した。
【００８９】
表２は、上に示されたロボット試験データ設定を含む。ゴルフクラブヘッド１１００は、１５°のロフト角度を有した。ゴルフクラブヘッド４１００は、１５°のロフト角度を有した。参照クラブ―ＴａｙｌｏｒＭａｄｅ  ＪｅｔＳｐｅｅｄフェアウェイウッド―は、１４．５°のロフト角度を有した。全てのヘッド速さは、試験において、１０６．５ｍｐｈと１０７．９ｍｐｈとの間であった。
【００９０】
【表２】
0006778995.tif 000004
【００９１】
様々な生きているプレーヤー（１０人のゴルファーのグループ）の試験において、０．０〜５．０のＵＳＧＡハンディキャップインデックスを有する各ゴルファーは、本開示のゴルフクラブヘッドおよび少なくとも１つの参照ゴルフクラブヘッドでショットを打撃した。各ゴルファーは、各ゴルフクラブヘッドおよび各参照ゴルフクラブヘッドで合計１０のショットを打撃した。試験は、一度に同じゴルフクラブヘッドで５ショット打撃し、次いで、無作為に選択された別のゴルフクラブヘッドで５ショット打撃することによって行われた。
【００９２】
本例の試験において、２つの参照クラブが使用され、ゴルフクラブヘッド１１００およびゴルフクラブヘッド４１００に加えて、２００８からのＴａｙｌｏｒＭａｄｅ  Ｂｕｒｎｅｒフェアウェイウッド（Ｂｕｒｎｅｒ’０８）およびＴａｙｌｏｒＭａｄｅ  ＪｅｔＳｐｅｅｄフェアウェイウッドを含んだ。
【００９３】
表３に再現されるように平均が決定された。
【００９４】
【表３】
0006778995.tif 000005
【００９５】
同様のプレーヤー試験が、参照クラブとしてのＪｅｔＳｐｅｅｄドライバーと比較して、ゴルフクラブヘッド２１００および３１００を含む本開示のドライバータイプのゴルフクラブヘッドで行われた。プレーヤー試験は、ゴルフクラブヘッド１１００および４１００に対して以前に示されたように設定された。試験された全てのドライバータイプのゴルフクラブヘッドは、１０．７°の静的ロフトを有した。
【００９６】
表４に再現されるように平均が決定された。
【００９７】
【表４】
0006778995.tif 000006
【００９８】
シミュレーション、ロボット、およびプレーヤー試験データから見られることが可能であるように、本開示のＢＣＦは、同様の条件において同様のショットについてスピン量を実質的に低下させた。様々な実施形態において、参照クラブと比較して、ＣＯＲが増大した。様々な実施形態において、参照クラブと比較して、ボール速度が増大した。表４の測定値において、インパクトロフトは、約１１±１°であった。
【００９９】
表５を参照して以下に示されているように、ＣＯＲについてゴルフクラブヘッドが試験された。ＣＯＲデータは、バランス点（フェース１１０上へのＣＧの射影）において集められた。次いで、データは、バランス点から移動した点においてとられた。データセットは、バランス点からヒール方向およびトー方向に±７．５ｍｍおよび±１５ｍｍの点を含み、ここではヒール方向が正であり、トー方向が負である。データセットは、バランス点から±５ｍｍおよびバランス点から−１０ｍｍの点を含み、ここではクラウン方向が正であり、ソール方向が負である。加えて、データセットは、バランス点からヒール方向およびトー方向に±１０ｍｍ、かつバランス点のクラウン方向およびソール方向に±５ｍｍに位置する点を含む。測定は、ゴルフクラブヘッド１１００および４１００と比較して、参照クラブとしてのＴａｙｌｏｒＭａｄｅ  ＪｅｔＳｐｅｅｄフェアウェイウッドに対して行われた。データは、表５を参照して以下に要約されている。
【０１００】
【表５】
0006778995.tif 000007
【０１０１】
表５のデータについて様々な点がとられるが、任意のゴルフクラブヘッドについてのＣＯＲデータをより特定して決定する必要に応じて、より多いまたはより少ない点がとられ得る。本開示の様々なゴルフクラブヘッドについてのＣＯＲデータは、さらに、図２０Ａを参照して見られる。表１および２のデータと同様に、図２０Ａについてのデータは、参照クラブをカバーした。参照クラブは、約１５°の静的ロフトのＴａｙｌｏｒＭａｄｅ  ＪｅｔＳｐｅｅｄフェアウェイウッドであった。同様に、データは、ゴルフクラブヘッド１１００およびゴルフクラブヘッド４１００について集められた。ゴルフクラブヘッド１１００は、図２０Ｂのデータ内にカバーされる。ゴルフクラブヘッド４１００は、図２０Ｃのデータ内にカバーされる。図２０Ａ〜２０Ｃに対して試験された全てのクラブは、約１５°の静的ロフトを有した。
【０１０２】
様々なゴルフクラブヘッドのＣＯＲに関するデータは、図２０Ａ〜２０Ｃを参照して集合される。フェース１１０の任意の領域について、ゴルフクラブヘッド１１００および４１００は、ＪｅｔＳｐｅｅｄ参照クラブと比較してより高いＣＯＲを有する傾向がある。図２０Ａ〜２０Ｃの各バンドは、注釈付けられたＣＯＲの近接周縁を提示する。例えば、「０．８」と注釈付けられたバンドの内側の全ての領域について、ゴルフクラブヘッドのＣＯＲは、少なくとも０．８００である。各ＣＯＲバンドのサイズを理解することは、ある一定のＣＯＲを超えるゴルフクラブフェースの領域を理解することを助ける。
【０１０３】
しかしながら、ＣＯＲバンドの形状は、完全に円形ではない。ＣＯＲ面積は、補間ソフトウェアによって計算される可能性があるが、ある一定のＣＯＲを超えるフェース領域の実際の測定は、達することが難しくあり得る。したがって、ＣＯＲ面積の近似がとられる可能性がある。
【０１０４】
任意のバンドについてのＣＯＲ面積の近似を決定するために、バンドの第１の広がりは、ｚ軸に平行にとられ、バンドの第２の広がりは、ｘ軸に平行にとられる。第１の広がりおよび第２の広がりは、ＣＯＲが少なくとも必要とされる数字である形状の最大寸法である。第１の広がりおよび第２の広がりの各々から、各広がりを直径として使用して円形が生成される。各円形の面積が計算され、２つの円形の面積の平均は、バンド内の面積の近似を提供し、その近似は、さらに、等価面積として公知であり、かつＡｒｅａＥｑｕｉｖａｌｅｎｔとして提示される。上の手順を表す式が以下に提供される。式のために、第１の広がりは、ＺＥｘｔｅｎｔと注釈付けられ、第２の広がりは、ＸＥｘｔｅｎｔと注釈付けられる。
【０１０５】
【数２】
0006778995.tif 000008
【０１０６】
図２０Ａを特に参照して見られるように、第１の広がり４００４および第２の広がり４００６は、少なくとも０．８０５の値を有するＣＯＲについて見られる。ＪｅｔＳｐｅｅｄ参照クラブの実施形態について、少なくとも０．８０５のＣＯＲについて、第１の広がり４００４は、約３．８ｍｍであり、第２の広がり４００６は、約４．７ｍｍである。第１の広がり４００４に関係する円形面積は、約１１．３ｍｍ２であり、第２の広がり４００６に関係する円形面積は、約１７．３ｍｍ２である。等価面積を表す２つの面積の平均は、約ＡｒｅａＥｑｕｉｖａｌｅｎｔ＝１４．３ｍｍ２である。そのような数字は近似であるので、５％までの違いが測定および計算方法論の合理的なエラーの範囲内であることは理解される。同様に、実際のＣＯＲ面積が公知である場合、測定および計算方法論のエラーを考慮すると１０％までの計算エラーが合理的であることが理解される。
【０１０７】
図２０Ｂ―ゴルフクラブヘッド４１００を表す―を参照すると、ＣＯＲが少なくとも０．８０５である領域の第１の広がり５００４は、約１１．３ｍｍであり、第２の広がり５００６は、約９．３ｍｍである。第１の広がり５００４に関係する円形面積は、約１００．３ｍｍ２であり、第２の広がり５００６に関係する円形面積は、約６７．９ｍｍ２である。したがって、等価面積を表す２つの面積の平均は、約ＡｒｅａＥｑｕｉｖａｌｅｎｔ＝８４．１ｍｍ２である。
【０１０８】
同様に、図２０Ｃ―ゴルフクラブヘッド１１００を表す―を参照すると、ＣＯＲが少なくとも０．８０５である領域の第１の広がり６００４は、約８．０ｍｍであり、第２の広がり６００６は、約１２．２ｍｍである。第１の広がり６００４に関係する円形面積は、約５０．３ｍｍ２であり、第２の広がり６００６に関係する円形面積は、約１１６．９ｍｍ２である。したがって、等価面積を表す２つの面積の平均は、約ＡｒｅａＥｑｕｉｖａｌｅｎｔ＝８３．６ｍｍ２である。
【０１０９】
示されているように、様々な測定値に対して、表６は、各クラブごとの各ＣＯＲの第１および第２の広がりについての補間チャートのデータを再現する。
【０１１０】
【表６】
0006778995.tif 000009
【０１１１】
表について、「ＮＤ」で示されているデータ点は、データ点についてデータのいずれも収集されなかったことを示すことを意味する。ＪｅｔＳｐｅｅｄ参照クラブについて、「０」は、試験されたときにＣＯＲが０．８１０を超える領域が存在しないことを含む。
【０１１２】
試験において、１つの方法論は、まずクラブのバランス点を発見することを含む。そのような決定に続き、バランス点と同軸にある付加的なインパクト点は、ｘ軸に平行にかつｚ軸に平行に測定されるときに使用されることが可能である。試験は、それらの軸の各々に沿って行われ得、所望のＣＯＲを有する範囲の広がりを最も綿密に決定するようにする。所望のＣＯＲが±ｘ軸および±ｚ軸方向に決定されるとき、これらの値は、ＡＥｑｕｉｖａｌｅｎｔを決定するために、ＺＥｘｔｅｎｔおよびＸＥｘｔｅｎｔ値に代入され得る。多くの実施形態において、決定された値は、実際の値の１０％の測定および計算エラーの範囲内の値であるだろう。
【０１１３】
図２１に図示されている実施形態は、２００８年１２月３０日に出願された「ＧＯＬＦ  ＣＬＵＢ」というタイトルの米国特許第７，８８７，４３１号により詳細に説明されているように、互いに組み合わせてまたは互いから独立してのどちらかでロフト、ライ、またはフェース角度を調整することが可能である調整可能ロフト、ライ、またはフェース角度システムを含み、この米国特許は、参照により、その全体が本明細書に援用される。シャフト（図示されていない）は、ゴルフクラブヘッド５１００を使用するゴルフクラブの中への組み立てのために、スリーブボアの中へ挿入され、かつスリーブ３２０４に機械的に固定または接着される。このゴルフクラブヘッド５１００は、本開示のゴルフクラブヘッド（ゴルフクラブヘッド１００、１１００、２１００、３１００、４１００）であり得る。スリーブ３２０４は、スリーブ３２０４の遠位先端部において回り止め部分３２４４、およびゴルフクラブヘッド５１００において定義されるソール開口部３２１２の中へ挿入されるねじ３２１０と係合するためのねじ山付きボア３２０６をさらに含む。スリーブ３２０４の回り止め部分３２４４は、ゴルフクラブヘッド５１００のホーゼル３１５０内に接着または溶接される回り止め接管３２０８と係合する。図示されていないが、シャフトおよびグリップは、ゴルフクラブアセンブリ３５００の一部として含まれ得る。例えば、スリーブ３２０４の第１の部分３２４３、スリーブボア３２４２およびシャフトは、アセンブリの長手方向軸３２４６を共同で定義する。スリーブ３２０４は、長手方向軸３２４６に沿ってシャフトを支持するのに有効であり、長手方向軸３２４６は、オフセット角度３２５０だけ長手方向軸３２４８からオフセットされている。長手方向軸３２４８は、（例えば、図７に見られる）ＳＡと位置合わせするように意図される。スリーブ３２０４は、０．２５度のインクリメントで０度と４度の間である可能性がある単一のオフセット角度３２５０を提供することが可能である。例えば、オフセット角度は、１．０度、１．２５度、１．５度、１．７５度、２．０度、または２．２５度である可能性がある。スリーブ３２０４は、回転されることにより、ゴルフクラブアセンブリ３５００に対する様々な調整を提供することが可能である。様々な実施形態において、スリーブ３２０４は、ゴルフクラブヘッド５１００に関係する様々な位置においてシャフトを固定するためにゴルフクラブヘッド５１００に機械的に留めることが可能であり得、それによって、ゴルフクラブヘッド５１００のロフト角度、ライ角およびフェース角度のうちの少なくとも１つを変化させる。様々な実施形態において、スリーブ３２０４は、配置に依存してホーゼルにまたはゴルフクラブヘッド５１００の別の部分に固定され得る。当業者は、機械的な方法を使用することがホーゼルに留めることと考慮されることを理解する。様々な実施形態において、機械的な留めは、他もある中で、ねじ、様々なねじ山配置、ベルクロおよび同様のシステム、ならびに接着剤および様々な他の永久に留める方法の使用を含む様々な接続機構を含み得る。当業者は、本ゴルフクラブアセンブリ３５００に対して説明されているシステムが本���示のゴルフクラブヘッド（１１００、２１００、３１００、４１００）の様々な実施形態に実装されることが可能であることを理解する。
【０１１４】
本実施形態のＢＣＦが（ゴルフクラブ本体においてボイドを提供する）スルースロット実施形態を含むので、屑の導入を妨げかつ様々な実施形態の様々なゴルフクラブヘッドの内部と外部との間の分離を提供する施栓材料でＢＣＦを充填することは有利である。出願番号１３／８３９，７２７を有する米国特許出願に説明されている施栓材料は、概して、本実施形態のＢＣＦに適しており、参照により、本明細書に援用される。
【０１１５】
様々な実施形態において、施栓材料は、図２２Ａ〜２２Ｄに図示されているプラグ６４００などのプラグに取り替えられ得る。見られるように、プラグ６４００は、内面６４０２および外面６４０４を含む。外面６４０４は、凹面であるようだが、プラグ６４００は、ゴルフクラブヘッド１１００および２１００などのゴルフクラブヘッド内に配置され、外面６４０４が外側と通じかつ内面６４０２がそれぞれＢＣＦ１３００および２３００内に接着されるようにする。プラグ６４００は、第１の壁６４０６および第２の壁６４０８を含む。第２の壁６４０８は、第１の壁６４０６から離間されている。外表面６４０９は、ＤＰ‐４２０接着剤を使用してＢＣＦ１３００、２３００において鉛直表面３８５に接着されるように設計されるが、様々なタイプの接着剤が使用され得、かつ様々なタイプの接着剤は、当業者に公知である。本実施形態に図示されているプラグ６４００は、ゴルフクラブヘッド１１００、２１００のＢＣＦ１３００、２３００とともに使用するために設計されるが、当業者は、本開示の様々なＢＣＦおよび参照により本明細書に援用される関連の開示内のＣＯＲＦの様々な実施形態とともに使用するために小さな改変がなされる可能性があることを理解する。
【０１１６】
本実施形態のプラグ６４００は、ポリウレタン材料で生成される。様々な実施形態において、プラグ６４００について、熱硬化性または熱可塑性ポリウレタンが使用され得る。様々な実施形態において、複数材料構成が使用され得る。様々な実施形態において、様々なプラスチック、ゴム、発泡体および他の同様の柔軟な材料が使用され得る。施栓材料について以前に留意されたのと同様に、プラグ６４００は、本開示のＢＣＦの偏りおよび移動との最小の干渉を提供するように設計される。様々な実施形態において、施栓材料で本開示のＢＣＦを単に充填することは、ゴルフクラブヘッドのＣＯＲへの重要なインパクトを有し得、施栓材料を含まないＢＣＦを含むゴルフクラブヘッドと比較して不利な応答を提供する。プラグ６４００の構造および材料組成は、ゴルフボールとのインパクトのときに変形が起こるときに本開示のＢＣＦまたはゴルフクラブヘッド上に設置されている有意な負荷なしにプラグ６４００が実質的に変形することを可能にする。したがって、プラグ６４００は、本開示のゴルフクラブヘッドのＣＯＲを有意に制限しない。
【０１１７】
様々な実施形態において、本開示のゴルフクラブヘッドおよびゴルフクラブは、改変可能境界を可能にする特徴を含み得る。様々な実施形態において、選択可能なスピンおよびＣＯＲ改変を提供するために、境界条件は、製造中に調整可能であり得るか、または製造後に変化可能であり得る。様々な実施形態において、境界条件は、変動境界条件を提供するために別個の装置を利用することによって改変可能であり得る。様々な実施形態において、境界条件は、ユーザー選択によって境界が改変されることが可能であるようにユーザー選択可能であり得る。
【０１１８】
図２３Ａ〜２３Ｂを参照して以下にさらに詳細に説明および開示されているように、本開示のゴルフクラブヘッド１０１００は、境界条件に対する調整を可能にすることが可能な特徴および要素を含む。様々な実施形態において、ゴルフクラブヘッド１０１００を参照して開示されている境界条件特徴および本開示内の他所に開示されている境界条件特徴などの境界条件特徴は、所望の境界条件を生成するように改変され得る。本開示によると、本明細書の他所に開示されている結果として生じるゴルフショットのＣＯＲ、スピン、または変動する他の要素を変化させるように境界条件を改変することは有益であり得る。様々な実施形態において、境界条件は、境界条件操作を通してＣＯＲのより綿密なチューニングを可能にする製造過程を通して改変可能であり得る。様々な実施形態において、製造後の方法および装置が、クラブパフォーマンスを変化させ標的プレー特性を得るように、変化した境界条件を提供するために利用され得る。様々な実施形態において、調整機構は、オンコースまたはプレラウンド調整を通してプレー条件の調整を提供するようにユーザー選択可能であり得る。様々な実施形態において、調整は、可変ばね、ダンパーの使用を通してあるいは電子的なまたは他の自動化された装置および／または機構を通してなど、自動的になされ得る。様々な実施形態において、調整機構は、変動挿入物を含み得、変動挿入物は、ユーザー選択可能パフォーマンスにおいて、変化した境界条件を提供するための様々なデュロメータ材料を有する境界条件特徴への挿入物を含む。様々な実施形態において、調整機構は、境界条件における変化を可能にする機械的な特徴または構成を有する挿入物を含み得る。例えば、様々な実施形態において、挿入物は、ばね、つる巻きばね、重ね板ばね、または材料における変化なしに係止における変化を可能にする様々な他の構成と同様に働き得る。様々な実施形態において、境界条件特徴を改変することは、いくつかの硬化ＢＣＦを取り除くか他の態様で変化させて、その領域においてより軟らかいプレー条件を提供するようにすることを含み得る。本明細書に説明されている方法および装置の使用を通して、本開示のゴルフクラブヘッドは、打ち出し、スピンおよびＣＯＲの好都合な組み合わせを達成し得る。
【０１１９】
その１つの実施形態がゴルフクラブヘッド１０１００である。見られることが可能であるように、ゴルフクラブヘッド１０１００は、ソールに位置するＢＣＦ１０３００およびクラウンに位置するＢＣＦ１０３０３を含む。本実施形態において、ＢＣＦ１０３００、１０３０３の両方は、軟化ＢＣＦであるが、様々な実施形態は、所望の変化のために軟化ＢＣＦを硬化ＢＣＦと取り替え得る。本実施形態において、ＢＣＦ１０３００、１０３０３の両方は、ＣＯＲＦ３００の構成と整合するが、これは、全ての実施形態について必要であるとは限らない。本明細書に説明されている他のＢＣＦは、本実施形態のＢＣＦ１０３００、１０３０３と相互交換され得る。本実施形態において、ＢＣＦ１０３００は、構造においてＢＣＦ１０３０３に類似するが、様々な実施形態において、これらの２つの構造は、外観および構成において類似する必要はない。
【０１２０】
図２４に見られるように、ゴルフクラブヘッド１０１００は、少なくとも１つのＢＣＦ挿入物１０３２５ａ、ｂ、ｃの形態でのＢＣＦ改変要素を含み得る。本実施形態において、各ＢＣＦ挿入物１０３２５ａ、ｂ、ｃは、留め具アセンブリである。留め具アセンブリＢＣＦ挿入物１０３２５ａ、ｂ、ｃは、ＢＣＦ１０３００上にわたって架かる接続を提供し、ゴルフクラブヘッド１０１００のウェイトパッド部分１０３６５に第１のソール部分１０３５５を機械的に接続する。当業者は、留め具が様々な材料および構成で生成され得ることを理解する。本実施形態において、留め具アセンブリＢＣＦ挿入物１０３２５ａ、ｂ、ｃは、金属で生成されている剛性材料または他の同様の剛性材料を有する。しかしながら、様々な実施形態において、留め具の構成およびＢＣＦ挿入物の配置は、所望に変化させられ得る。留め具アセンブリＢＣＦ挿入物１０３２５ａ、ｂ、ｃの剛性性質により、各留め具アセンブリＢＣＦ挿入物１０３２５ａ、ｂ、ｃを含めることは、特定のＢＣＦ挿入物１０３２５ａ、ｂ、ｃの位置において更なる剛性帯域を提供する。したがって、ＢＣＦ１０３００は、ＢＣＦ１０３００にわたってより多いまたはより少ないＢＣＦ挿入物１０３２５を含めることによって選択的に改変され得る。本実施形態において、ＢＣＦ１０３００の２つ以上の部分に沿ってＢＣＦ挿入物１０３２５ａ、ｂ、ｃが図示されているが、様々な実施形態は、変動位置において、より少ないまたはより多いＢＣＦ挿入物１０３２５を有し得る。
【０１２１】
ＢＣＦ挿入物１０３２５ａ、ｂ、ｃは、金属で生成された剛性アセンブリであることの長所によって取り付けられた剛性を提供する。図２５を参照して見られるように、ＢＣＦ挿入物１０３２５の留め具アセンブリは、ねじ山付き留め具１０３２６およびナット１０３２７を含む。当業者は、留め具１０３２６およびナット１０３２７が機械的な留め具のほんの１つの表現であることを理解する。例えば、同様の機械的な留め装置は、２０１３年３月１５日に出願された「ＧＯＬＦ  ＣＬＵＢ  ＨＥＡＤ」というタイトルの出願番号１３／８４１，３２５を有する米国特許出願、２０１３年７月１９日に出願された「ＧＯＬＦ  ＣＬＵＢ  ＨＥＡＤ」というタイトルの出願番号１３／９４６，９１８を有する米国特許出願、および２００６年１２月１９日に出願された「ＧＯＬＦ  ＣＬＵＢ  ＨＥＡＤ  ＷＩＴＨ  ＲＥＰＯＳＩＴＩＯＮＡＢＬＥ  ＷＥＩＧＨＴ」というタイトルの米国特許第７，７７５，９０５号に開示されている留め具配置などのスライド可能な留め具配置において用いられ得る。様々な実施形態において、ナット１０３２７は、第１のソール部分３５５および質量パッド部分３６５のうちの１つにおいて、ねじ山付き開口部として、永久に取り付けられ得るか、または一体的に形成され得る。例えば、本開示の様々な実施形態および出願番号１３／８３９，７２７を有する米国特許出願の開示の様々な実施形態において、ねじ山付き留め具が挿入され得るかまたは含められ得る変動張り出し部分が含まれ得る。
【０１２２】
しかしながら、ＢＣＦ挿入物１０３３０の別の実施形態が図２５を参照して見られる。見られることが可能であるように、ＢＣＦ挿入物１０３３０は、ＢＣＦ１０３０３によって定義される間隙にわたるプラグ装置である。本実施形態において、ＢＣＦ挿入物１０３３０は、他の可能性がある中で、様々なプラスチック、ポリマー、エラストマー、ウレタン、発泡体、ゴム、またはそれらの組み合わせなどの変形可能または圧縮可能な材料で生成される。本実施形態において、ＢＣＦ挿入物１０３３０は、概して、ＢＣＦ１０３０３と略同じサイズおよび形状である。ＢＣＦ挿入物１０３３０は、外部分１０３３１、首部分１０３３２および挿入部分１０３３３を含む。材料が変形可能および圧縮可能のうちの少なくとも１つであるので、機械的な力を使用してＢＣＦ挿入物１０３３０をＢＣＦ１０３０３の中へ挿入することが可能である。様々な実施形態において、ＢＣＦ挿入物１０３３０は、適切な位置に鋳造され得るか、適切な位置に留められ得るか、またはＢＣＦ１０３０３の内側の位置において他の態様で係止され得る。
【０１２３】
様々な実施形態において、ＢＣＦ挿入物１０３３０は、変動硬さを有し得かつ様々なデュロメータ評価を有し得る。例えば、いくつかの実施形態において、ＢＣＦ挿入物１０３３０は、軟らかいデュロメータ評価を有し得るが、他の実施形態において、ＢＣＦ挿入物１０３３０は、比較的硬いデュロメータ評価を有し得る。
【０１２４】
ＢＣＦ挿入物１０３３０が、概して、ＢＣＦ１０３０３によって形成される間隙を充填しているので、それは、フェース１１０の近位であるＢＣＦ１０３０３の一部とフェース１１０に対してより遠位であるＢＣＦ１０３０３の一部との間の機械的な接続を提供する。しかしながら、ＢＣＦ挿入物１０３３０が、概して、高剛性材料で生成されないので、達成される機械的な接続は、特定のプレーヤーの要望に対してより綿密に調整され得る。例えば、比較的軟らかいデュロメータ材料を使用することによって、ＢＣＦ挿入物１０３３０を含むＢＣＦ１０３０３は、開いたＢＣＦ１０３０３に類似して応答し得、対照的に、比較的硬いデュロメータ材料を使用すると、ＢＣＦ挿入物１０３３０を含むＢＣＦ１０３０３は、ＢＣＦ１０３０３を含まなかったゴルフクラブヘッドにより類似して応答する。中間デュロメータを選択することは、ゴルフクラブヘッド１０１００が、開いているかまたは制限されていないＢＣＦ１０３０３を有するゴルフクラブとＢＣＦ１０３０３を有さないゴルフクラブとの両方から大いに異なって応答することを可能にし得る。
【０１２５】
図２６を参照して見られるように、さらに、ＢＣＦ挿入物１０３３５ａ、ｂの様々な実施形態が利用され得る。見られるように、本実施形態のＢＣＦ挿入物１０３３５ａ、ｂは、重ね板ばねに類似して配置され、ＢＣＦ挿入物１０３３５ａ、ｂは、変形に対する幾分かの抵抗を提供するのに十分なモジュラスを有する材料―様々な金属、幾分かの高モジュラスプラスチック、補強複合物、および変動する他の同様の材料などを有する。本実施形態において、各ＢＣＦ挿入物１０３５５ａ、ｂの形状および厚さは、力を受けているときの変形における変化を提供するのに役立ち得る。例えば、２つのＢＣＦ挿入物１０３３５ａ、ｂが同じ材料で生成された場合、ＢＣＦ挿入物１０３３５ａと比較してＢＣＦ挿入物１０３３５ｂのより厚い構成は、結果的に、ＢＣＦ挿入物１０３３５ｂが、ＢＣＦ挿入物１０３３５ａより硬くなりかつ変形に対してより抵抗することとなる。概して、ＢＣＦ挿入物１０３３５ａ、ｂの曲げ硬さは、ＢＣＦ１０３００、１０３０３の位置における境界条件の可撓性を決定することが可能である。
【０１２６】
本実施形態において、ＢＣＦ挿入物１０３３５ａ、ｂは、金属で形成され、概して、それぞれのＢＣＦ１０３００、１０３０３の形状に従う。ＢＣＦ挿入物１０３５５ａ、ｂは、ゴルフクラブヘッド１０１００に接着され得る接着インターフェース部分１０３３６ａ、ｂを含む。本実施形態において、ゴルフクラブヘッドの外表面に沿って接着が存在し得る。本開示のこの部分において言及されているように、接着することは、接着剤接着、機械的な取り付け、永久的な取り付け（例えば、溶接または共成形）あるいは当業者によって理解される様々な他のインターフェースを含み得る。本実施形態のＢＣＦ挿入物１０３５５ａ、ｂは、接着インターフェース部分１０３３６ａ、ｂを含むが、他の同様の挿入物は、特定の挿入物と特定のＢＣＦとの間の異なるタイプのインターフェースに鑑みてこれらの部分を省略し得る。
【０１２７】
境界条件の生産後の改変は、さらに、硬化ＢＣＦに対して達成され得る。図２７〜２８を参照して見られるように、ゴルフクラブヘッド１１１００は、先の実施形態に対して開示されているＢＣＦ１０３００、１０３０３を含む。しかしながら、本実施形態において、各ＢＣＦ１０３００、１０３０３は、それぞれ、ＢＣＦ１０３００、１０３０３にわたって機械的に連結する複数の連結リブ１１３０１、１１３０４を含む。本実施形態において、７つの連結リブ１１３０４が図示されており、かつ４つの連結リブ１１３０１が図示されている。本実施形態において、連結リブ１１３０１、１１３０４は、一貫した厚さを有するが、一貫した厚さが、全ての実施形態において存在する必要はない。
【０１２８】
様々な実施形態において、連結リブ１１３０１、１１３０４は、本開示の他所で開示されている硬化ＢＣＦとしてふるまう。図２９を参照して見られるように、連結リブ１１３０１、１１３０４は、フェース１１０のより近位であるゴルフクラブクラウン１２０およびソール１３０の一部とフェース１１０に対して遠位であるクラウン１２０およびソール１３０の一部との間の機械的な連結を提供する。例えば、連結リブ１１３０１は、第１のソール部分３５５とウェイトパッド部分３６５との間の接続を提供する。そのような連結は、ＢＣＦ１０３００上にわたって硬化要素を提供する。
【０１２９】
図示されているように、連結リブ１１３０１、１１３０４の最外縁部１１３０２、１１３０６は、それぞれ、ゴルフクラブヘッド１１１００の外表面から陥凹している。様々な実施形態において、ＢＣＦ１０３００、１０３０３は、充填材料で充填され得る。陥凹最外縁部１１３０２、１１３０６は、充填材料が連結リブ１１３０１、１１３０４上にわたって設置されることを可能にし、それにより、ビューから連結リブ１１３０１、１１３０４を有効に隠す。本開示の他所および出願番号１３／８３９，７２７を有する米国特許出願の開示の他所に説明されているように、ゴルフクラブヘッド１１１００の外部から内部へのアパーチャは、ＵＳＧＡルールにより被覆されることが必要である。したがって、本明細書におよび本明細書中の参考文献の様々な開示に開示されている充填材料などの充填材料は、アパーチャ上にわたってカバーを提供するために利用され得る。様々な実施形態において、キャップ、カバー、または他の表面は、充填または施栓材料の代わりに利用され得る。そのようなカバーは、ゴルフクラブヘッド１１１００の外表面に接着され得る。様々な実施形態において、様々なカバーが利用され得る。
【０１３０】
図３０を参照して見られるように、ゴルフクラブ１１１００は、連結リブ１１３０１、１１３０４の一部の取り除きによって改変され得る。様々な実施形態において、連結リブ１１３０１、１１３０４は、それぞれ、複数の連結リブ１１３０１、１１３０４の中の個々のリブを選択的に取り除くようにＢＣＦ１０３００、１０３０３内で機械加工され得る。連結リブ１１３０１、１１３０４のうちの１つ以上の連結リブが取り除かれて、それにより、改変された境界条件を提供し得る。
【０１３１】
ゴルフクラブヘッドを製造するときに手による処理を使用して欠陥を研磨してなくすことは一般的である。例えば、ゴルフクラブヘッドのフェース上の表面の仕上げを提供するために、鋳造、鍛造、または様々な他の処理からの欠陥を取り除くことが必要であり得る。手による研磨が生じるとき、手による研磨は、研磨されているゴルフクラブヘッドのフェースの厚さに比較的大きい範囲の許容範囲を提供する。これにより、手によってなされる手による研磨または他の生産後作業の対象である様々なゴルフクラブヘッド間で、ＣＯＲおよび接触時間が異なり得る。これらの場合のいくつかにおいて、ＣＯＲは、Ｕｎｉｔｅｄ  Ｓｔａｔｅｓ  Ｇｏｌｆ  Ａｓｓｏｃｉａｔｉｏｎ（ＵＳＧＡ）ルールによって要求される最大ＣＯＲの範囲外となり得る。そのようなヘッドは、破壊される場合があり、生産費用を増大させることにつながる。この変化に対処するために、ゴルフクラブ設計者は、ＵＳＧＡルールが許可するよりも低いＣＯＲにするようにゴルフクラブヘッドを意図的に設計する場合があり、このようにして、手による研磨における変化がＵＳＧＡ制限より下のままであるようにすることを可能にするだろう。しかしながら、これは、結果的に、大多数のゴルフクラブが、ＵＳＧＡ最大値より下であるＣＯＲを有することとなる。したがって、試験されたとき、これらのゴルフクラブヘッドは、ＵＳＧＡ最大値に達した先の設計または競合クラブヘッド―例えば、ＵＳＧＡ制限まで設計され上述されている処理によってヘッドを廃棄したクラブヘッドより低いＣＯＲを有するだろう。
【０１３２】
本明細書に開示されているＢＣＦなどの改変可能なＢＣＦを含めることにより、設計者は、後日ＣＯＲを変更する能力を維持した状態でＵＳＧＡ制限に近く設計することが可能になる。例えば、連結リブ１１３０１、１１３０４として説明されている改変可能な硬化ＢＣＦは、複数の連結リブから個々の連結リブ１１３０１、１１３０４を選択的に取り除くことによって改変可能である。そのような取り除きは、わずかな量だけＣＯＲを増大させるだろう。例えば、ＣＯＲは、特定の連結リブ１１３０１、１１３０４の取り除きによって０．００８だけ増大し得る。したがって、手による研磨後にゴルフクラブヘッド１１１００が試験されて０．８２２のＣＯＲを有する場合、その特定の連結リブ１１３０１、１１３０４の取り除きは、適切であり得、このようにして、ゴルフクラブヘッド１１１００が０．８３０ＣＯＲのＵＳＧＡ制限に達することを可能にする。
【０１３３】
加えて―および本開示の他所に論じられているように―、境界条件を改変することは、スピン量に影響を及ぼす。したがって、境界条件の選択的改変は、ユーザー選択によるＣＯＲおよびスピン量の調整を可能にし得る。様々な実施形態において、ＢＣＦは、様々な方法を通して改変可能であり得る。例えば、連結リブ１１３０１、１１３０４の硬化ＢＣＦは、ＢＣＦ１０３００、１０３０３にわたって接着されるリブを含み得、接着を取り除くことは、機械加工なしにリブが取り除かれることを可能にし得る。さらに、境界条件を硬化させるために、適切な位置にリブを再接着することが可能であり得る。加えて、本開示の複数の実施形態の複数の要素を組み合わせる改変として当業者によって理解されるように、境界条件の改変された硬さを提供するために、より硬い施栓または充填材料が使用され得る。
【０１３４】
ゴルフクラブヘッド１１１００の実施形態は、様々な実施形態において改変され得る。例えば、いくつかの実施形態において、ゴルフクラブヘッド１１１００に類似するゴルフクラブヘッドは、ＢＣＦ１０３００、１０３０３なしの連結リブ１１３０１、１１３０４などの機械的な接続具を含み得る。そのような状況において、外部から連結リブを機械加工してなくして、明示的にＢＣＦ１０３００、１０３０３を含むことなく軟化境界条件を提供することが可能であり得る。そのような実施形態において、機械加工穴は、本開示の様々な他の実施形態によるフィラー、施栓材料、あるいはカバーまたは挿入物で被覆され得る。
【０１３５】
本開示の様々な実施形態において、境界条件は、ユーザー改変可能であり得る。様々な実施形態において、境界条件は、一時的に改変可能であり得る。様々な実施形態において、境界条件改変は、永久的または半永久的であり得る。様々な方法および装置が本開示の機能性に本来備わっていることが当業者によって理解されかつ当業者に知られることとなる。本開示の精神から実質的に逸脱しない本明細書の実施形態に対する改変は、開示された実施形態に対する変化として含められかつ本開示内にカバーされることが意図される。
【０１３６】
そうではないと具体的に言及されない限り、または使用される文脈の範囲内で他の態様に理解されない限り、他もある中で「可能である（ｃａｎ）」、「可能である（ｃｏｕｌｄ）」、「得る（ｍｉｇｈｔ）」または「得る（ｍａｙ）」などの条件付き言語が、ある実施形態がある特徴、要素および／またはステップを含む一方で他の実施形態はそれらを含まないことを伝えることが概して意図されることに留意されたい。したがって、そのような条件付き言語は、特徴、要素および／またはステップが、１つ以上の特定の実施形態に必要とされる任意の方法において存在すること、または１つ以上の特定の実施形態が、任意の特定の実施形態においてこれらの特徴、要素および／またはステップが含まれるかまたは行われるべきであるかどうかを、ユーザー入力または誘発ありで、またはなしで、決定するための論理を必ず含むことを暗示することは概して意図されない。
【０１３７】
上述されている実施形態は、実施のとり得る例にすぎず、本開示の原理の明白な理解のために単に記載されていることが強調されるべきである。本開示の当該技術分野の当業者によって理解されるように、任意の過程の説明またはフロー図におけるブロックは、過程における特定の論理的機能またはステップを実施するための１つ以上の実行可能な命令を含むモジュール、セグメントまたはコードの部分を表現しているものとして理解されるべきであり、機能がまったく含まれ得なくあり得るかまたは実行されなくあり得る代替の実施、関与する機能性に依存して実質的に同時または逆順を含め図示または説明された順序から脱して機能が実行され得る代替の実施が含まれる。本開示の精神および原理から実質的に逸することなく、上述されている実施形態（単数または複数）に対して多くの変化および改変がなされ得る。さらに、本開示の範囲は、上述されている全ての要素、特徴および側面の任意の組み合わせ、全ての組み合わせおよび部分的組み合わせをカバーすることが意図される。全てのそのような改変および変化は、本開示の範囲内で本明細書に含まれることが意図され、要素またはステップの個々の側面または組み合わせに対する全ての可能な請求項が本開示によってサポートされていることが意図される。
【図１Ａ】
0006778995.tif 000010
【図１Ｂ】
0006778995.tif 000011
【図１Ｃ】
0006778995.tif 000012
【図１Ｄ】
0006778995.tif 000013
【図２】
0006778995.tif 000014
【図３】
0006778995.tif 000015
【図４】
0006778995.tif 000016
【図５】
0006778995.tif 000017
【図６Ａ】
0006778995.tif 000018
【図６Ｂ】
0006778995.tif 000019
【図７】
0006778995.tif 000020
【図８】
0006778995.tif 000021
【図９】
0006778995.tif 000022
【図１０】
0006778995.tif 000023
【図１１Ａ】
0006778995.tif 000024
【図１１Ｂ】
0006778995.tif 000025
【図１１Ｃ】
0006778995.tif 000026
【図１２】
0006778995.tif 000027
【図１３】
0006778995.tif 000028
【図１４】
0006778995.tif 000029
【図１５】
0006778995.tif 000030
【図１６】
0006778995.tif 000031
【図１７】
0006778995.tif 000032
【図１８】
0006778995.tif 000033
【図１９】
0006778995.tif 000034
【図２０Ａ】
0006778995.tif 000035
【図２０Ｂ】
0006778995.tif 000036
【図２０Ｃ】
0006778995.tif 000037
【図２１】
0006778995.tif 000038
【図２２Ａ】
0006778995.tif 000039
【図２２Ｂ】
0006778995.tif 000040
【図２２Ｃ】
0006778995.tif 000041
【図２２Ｄ】
0006778995.tif 000042
【図２３Ａ】
0006778995.tif 000043
【図２３Ｂ】
0006778995.tif 000044
【図２４】
0006778995.tif 000045
【図２５】
0006778995.tif 000046
【図２６】
0006778995.tif 000047
【図２７】
0006778995.tif 000048
【図２８】
0006778995.tif 000049
【図２９】
0006778995.tif 000050
【図３０】
0006778995.tif 000051